(57)【特許請求の範囲】
【請求項１】
目標スペクトル包絡を示す第１ラインと、測定された周波数スペクトルを平滑化した第１スペクトル包絡を示す第２ラインとの交点の周波数で、対象となる周波数帯域を複数の第１部分帯域に分割するステップと、
前記複数の第１部分帯域のうちオペレータにより指定された第１部分帯域に対する、オペレータによる調整量の設定操作に応じて、当該指定された第１部分帯域に対するフィルタの周波数レスポンスを設定するステップと
を具備するフィルタの周波数レスポンス設定方法。
【請求項２】
周波数とゲインの２次元表示領域に、前記フィルタの周波数レスポンスを表示するステップ
をさらに具備する、請求項１に記載のフィルタの周波数レスポンス設定方法。
【請求項３】
前記フィルタの周波数レスポンスを表示するステップは、前記表示領域に、さらに、前記第１ラインと前記第２ラインとを表示する
請求項２に記載のフィルタの周波数レスポンス設定方法。
【請求項４】
前記フィルタの周波数レスポンスを表示するステップは、前記表示領域に、さらに、前記第１ラインと前記第２ラインとの差分を表示する
請求項２に記載のフィルタの周波数レスポンス設定方法。
【請求項５】
前記対象となる周波数帯域は、オペレータにより設定された下限周波数と上限周波数とにより制限されている
請求項３に記載のフィルタの周波数レスポンス設定方法。
【請求項６】
前記第２ラインは、前記下限周波数以下のレンジおよび前記上限周波数以上のレンジの少なくとも一方において、前記第１ラインと滑らかに接続するように加工されている
請求項５に記載のフィルタの周波数レスポンス設定方法。
【請求項７】
前記フィルタの周波数レスポンスを設定するステップは、前記指定された第１部分帯域における前記第１ラインと前記第２ラインとの差分に対する割合によりオペレータが前記調整量を設定する設定操作に応じて、当該指定された第１部分帯域に対するフィルタの周波数レスポンスを設定する
請求項１に記載のフィルタの周波数レスポンス設定方法。
【請求項８】
オペレータによる前記第１ラインの変更操作に応じて、当該第１ラインを変更するステップ
をさらに具備する、請求項１に記載のフィルタの周波数レスポンス設定方法。
【請求項９】
前記第１ラインは、予め用意された複数種のスペクトル包絡のうちから指定されたスペクトル包絡を示すラインである
請求項１に記載のフィルタの周波数レスポンス設定方法。
【請求項１０】
前記第２ラインと、前記測定された周波数スペクトルを前記第１スペクトル包絡より低い度合いで平滑化した第２スペクトル包絡を示す第３ラインとの交点の周波数で、前記対象となる周波数帯域を複数の第２部分帯域に分割するステップと、
前記複数の第２部分帯域のうちオペレータにより指定された第２部分帯域に対する、オペレータによる調整量の設定操作に応じて、当該指定された第２部分帯域に対するフィルタの周波数レスポンスを設定するステップと
をさらに具備する、請求項１に記載のフィルタの周波数レスポンス設定方法。
【請求項１１】
前記第１ラインは、前記測定された周波数スペクトルを前記第１スペクトル包絡より高い度合いで平滑化した第３スペクトル包絡を示すラインである
請求項１に記載のフィルタの周波数レスポンス設定方法。
【請求項１２】
前記第１ラインと前記第２ラインとの差分の谷の周波数で、各第１部分帯域を複数の第２部分帯域に分割するステップと、
前記複数の第２部分帯域のうちオペレータにより指定された第２部分帯域に対する、オペレータによる調整量の設定操作に応じて、当該指定された第２部分帯域に対するフィルタの周波数レスポンスを設定するステップと
をさらに具備する、請求項１に記載のフィルタの周波数レスポンス設定方法。
【請求項１３】
前記測定された周波数スペクトルは、放音されてマイクで収音された測定用の音の波形の周波数スペクトルである
請求項１に記載のフィルタの周波数レスポンス設定方法。
【請求項１４】
オペレータによる前記第２ラインの変更操作に応じて、当該第２ラインを変更するステップ
をさらに具備する、請求項１に記載のフィルタの周波数レスポンス設定方法。
【請求項１５】
前記複数の第１部分帯域のうちのある第１部分帯域を挟む２つの交点の少なくとも一方の位置を、オペレータが周波数方向へ移動する交点移動操作に応じて、当該第１部分帯域の幅を変更するステップ
をさらに具備する、請求項１に記載のフィルタの周波数レスポンス設定方法。
【請求項１６】
目標スペクトル包絡を示す第１ラインと、測定された周波数スペクトルを平滑化した第１スペクトル包絡を示す第２ラインとの交点の周波数で、対象となる周波数帯域を複数の第１部分帯域に分割する分割部と、
前記複数の第１部分帯域のうちオペレータにより指定された第１部分帯域に対する、オペレータによる調整量の設定操作に応じて、当該指定された第１部分帯域に対するフィルタの周波数レスポンスを設定する設定部と
を具備するフィルタの周波数レスポンス設定装置。
【発明の詳細な説明】
【技術分野】
【０００１】
コンサートホールなどの音響空間と当該音響空間内に設置されるスピーカとを含む再生系全体の周波数特性等を調整対象とし、目標として想定する周波数特性（以下、目標特性）を基準として調整を行うための技術に関する。
【背景技術】
【０００２】
スピーカに供給する音信号にグラフィックイコライザ（ＧＥＱ）やパラメトリックイコライザ（ＰＥＱ）による信号処理を施すことで目標特性を実現する場合、再生系全体について実測された周波数特性と目標特性との差に応じて上記信号処理のパラメータ（以下、補正パラメータ）を適切に設定しておくことが必要となる。例えば、目標特性には無い顕著なピークが再生系全体の周波数特性に表れており、このピークを複数バンドのＰＥＱ等を用いて平坦にしようとする場合、音響技術者は以下の作業を行う。まず、音響技術者は、ＰＥＱの１つのバンドの中心周波数を平坦にしようとするピークに対応する周波数に合わせる。次いで、音響技術者は、そのピークに合わせて、そのバンドのＱ値を設定し、最後にそのバンドのゲインを調整する。しかし、中心周波数、Ｑ値およびゲインといった３つの補正パラメータをそれぞれ独立に設定しながら再生系全体の周波数特性が目標特性に近づくよう調整することは難しく、直観的でわかりやすい操作で上記調整を行うことはできない、という問題があった。このような問題を解決するための技術として非特許文献１に開示の技術や特許文献１に開示の技術がある。【０００３】
非特許文献１には、ＧＵＩ（Graphical User Interface）ベースの直観的でわかりやすい操作で補正パラメータの設定を音響技術者に行わせる技術が開示されている。また、特許文献１に開示の技術では、以下の要領で補正パラメータの設定が実現される。特許文献１に開示の技術では、予め用意された複数種の周波数特性のうちから所望の周波数特性を音響技術者に選択させる。次いで、スピーカの出力可能帯域等に応じて、周波数特性を調整する周波数帯域を音響技術者に設定させ、その周波数帯域の両端での滑らかなつながりを維持しつつ、上記選択した特性を表すグラフを上下させることで希望特性（目標特性）をユーザに設定させる（図１５）。特許文献１に開示の技術では、実際に計測された周波数特性と上記の要領で設定された希望特性との差に応じて前者を後者に合わせ込むための周波数特性の調整量が算出され、この調整量に応じて補正パラメータが設定される。例えば、ＦＩＲフィルタ等によるフィルタ処理により周波数特性の補正を行う場合、上記補正パラメータとしてＦＩＲフィルタにおけるフィルタ係数が上記調整量に応じて設定される。
【先行技術文献】
【特許文献】
【０００４】
【特許文献１】特開平０７−０４６６８７号公報（US5,572,443）
【特許文献２】特許５７０８６９３号
【非特許文献】
【０００５】
【非特許文献１】“Lake Controller v6 対応オペレーション・マニュアル Rev 1.3.6J”、Lab.gruppen社、[online]、[平成２８年９月２７日検索]、インターネットURL:http://jp.music-group.com/LAB/download/Lake_Controller_Operation_Manual_136J.pdf  (Lake Controller Operation Manual Rev 1.3.6, URL: http://downloads.labgruppen.com/Lake_Controller_Operation_Manual.pdf)
【発明の概要】
【発明が解決しようとする課題】
【０００６】
非特許文献１に開示の技術では、補正パラメータを設定する際の目安となる指標（例えば、目標特性や調整量の現在値等）の表示がなく、使いづらいといった問題がある。特許文献１に開示の技術には、周波数特性をきめ細かく調整できないといった問題がある。例えば、特許文献１に開示の技術では、上記の要領で設定した周波数帯域の一部の部分帯域（１つ或いは複数の部分帯域）についてのみ目標特性に向けて調整する、といったことはできない。一般に、実測された周波数特性に目標特性には現れていないピークやディップが現れている場合であっても、それらピークやディップの全てを解消することを音響技術者が望んでいる訳ではない。それらピークやディップの全てを解消しようとすると、かえって音質の劣化を招く場合があるからである。このため、一部の部分帯域を指定し、当該指定した部分帯域についてのみ周波数特性の調整を行えることが極めて重要となるが、特許文献１に開示の技術では対応することができない。【０００７】
本発明は、上記課題に鑑みて為されたものであり、指定した部分帯域についてのみ調整対象となる周波数特性を目標特性に合わせこむための調整を行え、かつ当該調整を直観的でわかりやすい操作で行えるようにする技術、を提供することを目的とする。
【課題を解決するための手段】
【０００８】
以上の課題を解決するために、本発明の好適な態様に係るフィルタの周波数レスポンス設定方法は、目標スペクトル包絡を示す第１ラインと、測定された周波数スペクトルを平滑化した第１スペクトル包絡を示す第２ラインとの交点の周波数で、対象となる周波数帯域を複数の第１部分帯域に分割するステップと、前記複数の第１部分帯域のうちオペレータにより指定された第１部分帯域に対する、オペレータによる調整量の設定操作に応じて、当該指定された第１部分帯域に対するフィルタの周波数レスポンスを設定するステップとを具備する。
本発明の好適な態様に係るフィルタの周波数レスポンス設定装置は、目標スペクトル包絡を示す第１ラインと、測定された周波数スペクトルを平滑化した第１スペクトル包絡を示す第２ラインとの交点の周波数で、対象となる周波数帯域を複数の第１部分帯域に分割する分割部と、前記複数の第１部分帯域のうちオペレータにより指定された第１部分帯域に対する、オペレータによる調整量の設定操作に応じて、当該指定された第１部分帯域に対するフィルタの周波数レスポンスを設定する設定部とを具備する。
【図面の簡単な説明】
【０００９】
【図１】この発明の一実施形態による周波数特性調整装置１の構成を示す図である。
【図２】同周波数特性調整装置１のリモコン部２０の表示部２３４に表示される調整支援画面の一例を示す図である。
【図３Ａ】同調整支援画面における特性表示領域Ａ０１の表示例を示す図である。
【図３Ｂ】同調整支援画面における特性表示領域Ａ０１の表示例を示す図である。
【図４】同リモコン部２０の制御部２１０が調整支援プログラムにしたがって実行する処理の流れを示すフローチャートである。
【図５Ａ】抽出処理における部分帯域の抽出例を示す図である。
【図５Ｂ】抽出処理における部分帯域の抽出例を示す図である。
【図６】調整量の設定方法の一例を示す図である。
【図７】第１の動作モードにおける調整量設定後の特性表示領域Ａ０１の表示例を示す図である。
【図８】第１の動作モードにおける調整量設定後の仮想フェーダＶＦ０１〜ＶＦ０７の表示例を示す図である。
【図９Ａ】第１の動作モードにおいて平滑化特性を示すグラフＧ０１を平行移動する操作を行った場合の特性表示領域Ａ０１の表示例を示す図である。
【図９Ｂ】第１の動作モードにおいて平滑化特性を示すグラフＧ０１を平行移動する操作を行った場合の特性表示領域Ａ０１の表示例を示す図である。
【図１０】第１の動作モードにおいて交点Ｐ０３を低域側へ移動させる操作を行った場合の特性表示領域Ａ０１の表示例を示す図である。
【図１１】第２の動作モードにおける特性表示領域Ａ０１の表示例を示す図である。
【図１２Ａ】第２の動作モードにおける調整量の設定例を示す図である。
【図１２Ｂ】第２の動作モードにおける調整量の設定例を示す図である。
【図１３Ａ】周波数帯域の下限周波数以下のレンジおよび上限周波数以上のレンジについて、加工されていない平滑化特性を例示する図である。
【図１３Ｂ】周波数帯域の下限周波数以下のレンジおよび上限周波数以上のレンジについて、加工された平滑化特性を例示する図である。
【図１４】第３の動作モードにおける特性表示領域Ａ０１の表示例を示す図である。
【図１５】第３の動作モードにおける調整量の設定例を示す図である。
【図１６】第３の動作モードにおける調整量の設定例を示す図である。
【発明を実施するための形態】
【００１０】
＜第１実施形態＞
以下図面を参照しつつ本発明の第１実施形態を説明する。
（Ａ：構成）
図１は、本発明の一実施形態の周波数特性調整装置１の構成を示す図である。周波数特性調整装置１は、コンサートホールなどの音響空間２と音響空間２内に設置されるラウドスピーカ３とフィルタとからなる再生系全体の音の周波数特性を調整対象の周波数特性とし、当該調整対象の周波数特性を目標特性に向けて調整する（調整対象の周波数特性が目標特性に近づくように、フィルタの周波数特性（周波数レスポンス）を調整する）ための装置である。図１に示すように、周波数特性調整装置１は、本体部１０とリモコン部２０とを有する。本実施形態では、本体部１０とリモコン部２０は着脱可能な信号ケーブルで接続され、両者は当該信号ケーブルを介してデータの授受を行う。本実施形態では、本体部１０とリモコン部２０の間のデータ授受を有線通信で行う場合について説明するが無線通信で行っても良い。
【００１１】
本体部１０は、例えばＤＳＰ（Digital Signal Processor）などの信号処理装置である。図１に示すように本体部１０は、マイク入力端子１１０、ソース入力端子１２０、およびスピーカ出力端子１３０を有する。スピーカ出力端子１３０には、パワーアンプを内蔵したスピーカ３が接続される。マイク入力端子１１０には、再生系全体の周波数特性を測定するための測定用マイクロフォン４が接続される。ソース入力端子１２０には、ＣＤプレイヤ等、スピーカ３から音響空間２内へ出力する音の音源となるソース機器５が接続される。本体部１０は、ソース入力端子１２０に接続されたソース機器５から入力される音信号に、周波数特性調整装置１のユーザにより設定された補正パラメータ（つまりフィルタの周波数レスポンスを制御するパラメータ）に応じた信号処理（フィルタ処理）を施し、当該信号処理済みの音信号をスピーカ出力端子１３０からスピーカ３へ出力する。当該信号処理に用いられるフィルタは、ＦＩＲフィルタ、ＧＥＱ（例えば３１バンド）、ＰＥＱ（例えば４バンド）等の何れであってよい。本実施形態では、ＦＩＲフィルタを用いる。周波数特性調整装置１のユーザ（オペレータ）は、周波数特性調整装置１を用いて、調整対象となる周波数特性を目標特性に向けて調整する音響技術者である。本実施形態では、上記補正パラメータを適切に設定することで、音質の劣化を防ぎつつ、目標特性へ近付けることができる。
【００１２】
図１に示すように、本体部１０は、外部機器インタフェース（「Ｉ／Ｆ」と略記）部１４０、制御部１５０、記憶部１６０、信号処理部１７０、およびこれら構成要素間のデータ授受を仲介するバス１８０を有する。本体部１０は、また、アナログデジタル変換器（ＡＤＣ）１７１およびデジタルアナログ変換器（ＤＡＣ）１７２を有する。制御部１５０は、例えばＣＰＵである。制御部１５０は記憶部１６０に記憶されている信号処理プログラムにしたがって動作することにより、本体部（信号処理装置）１０の制御中枢として、外部機器Ｉ／Ｆ部１４０を介してのリモコン部２０とのデータ通信や、信号処理部１７０における信号処理の制御などを行う。外部機器Ｉ／Ｆ部１４０は、例えばシリアルインタフェースやパラレルインタフェース、ＵＳＢ（Universal Serial Bus）インタフェースなど、各種外部機器を接続するためのインタフェースの集合体である。本実施形態では、外部機器Ｉ／Ｆ部１４０には信号線を介してリモコン部２０が接続される。
【００１３】
ＡＤＣ１７１は、マイク入力端子１１０に接続された測定用マイクロフォン４から入力されたアナログの音信号、および、ソース入力端子１２０に接続されたソース機器５から入力されたアナログの音信号、のそれぞれを、デジタルの音信号に変換して、信号処理部１７０に出力する。信号処理部１７０は、制御部１４０による制御の下、測定用マイクロフォン４から入力された音信号、および、ソース機器５から入力された音信号に、各種の信号処理を施す。ＤＡＣ１７２は、ソース機器５から入力され信号処理部１７０により信号処理が施されたデジタルの音信号を、アナログの音信号に変換して、スピーカ出力端子１３０を介してスピーカ３へ出力する。
【００１４】
上記のような調整を実現するため、周波数特性調整装置１のユーザは、まず、調整対象となる周波数特性の調整前の初期特性、すなわちフィルタの周波数レスポンスをフラットにした場合の、音響空間２と音響空間２内に設置されるスピーカ３とフィルタからなる再生系全体（以後、フィルタを除く再生系と呼ぶ）の周波数特性を測定する。本実施形態においても再生系全体の周波数特性の測定は、特許文献１に開示の技術を用いた場合と同様の手順で行われる。ユーザは、まず、音響空間２内に測定用マイクロフォン４とスピーカ３とを設置する。次いで、ユーザは、測定用マイクロフォン４をオーディオケーブルを介して周波数特性調整装置１の本体部１０のマイク入力端子１１０に接続し、スピーカ３を同スピーカ出力端子１３０に接続する。
【００１５】
上記の要領で各機器の接続を完了すると、ユーザは、リモコン部２０を用いて本体部１０をリモート制御して、本体部１０からスピーカ３に測定用信号を供給させ、スピーカ３から周波数特性測定用の音（例えば、ホワイトノイズ：以下、測定用音）を出力させる。スピーカ３から音響空間２に出力された音および音響空間２の壁面による当該音の反射音は、マイクロフォン４により収音され、当該収音された音を表す音信号がマイクロフォン４からマイク入力端子１１０を介して本体部１０へ入力される。本体部１０は、マイク入力端子１１０へ入力された音信号からフィルタを除く再生系（スピーカ３から音響空間２を経てマイク４まで）の周波数特性を算出する。例えば、本体部１０は、マイク入力端子１１０へ入力された音信号にフーリエ変換を施して上記周波数特性を算出する。そして、本体部１０は、上記の要領で算出した周波数特性を表すデータをリモコン部２０へ送信する。これにより、フィルタを除く再生系の周波数特性の測定が実現される。
【００１６】
リモコン部２０は、例えばノート型或いは据え置き型のパーソナルコンピュータであり、ユーザに対して周波数特性調整装置１の利用を促すユーザインタフェースを提供する装置である。リモコン部２０は、ユーザ操作に応じて信号処理部１７０をリモート制御する。本実施形態では、リモコン部２０が処理を実行することで、スピーカ３の再生可能帯域に応じて定まる周波数帯域（frequency range）のうちでユーザの指定した部分帯域（frequency band）についてのみ、調整対象となる周波数特性を目標特性の方向に或いはその逆方向に調整することが可能となっている。つまり、本実施形態の特徴はリモコン部２０にある。以下では、リモコン部２０を中心に説明する。
【００１７】
図１に示すように、リモコン部２０は、制御部２１０、外部機器インタフェース（「Ｉ／Ｆ」と略記）部２２０、ユーザＩ／Ｆ部２３０、記憶部２４０、およびこれら構成要素間のデータ授受を仲介するバス２５０を有する。制御部２１０は、例えばＣＰＵである。制御部２１０は記憶部２４０に記憶されている調整支援プログラムにしたがって、リモコン部２０の制御中枢として機能する。外部機器Ｉ／Ｆ部２２０は、例えばシリアルインタフェースやパラレルインタフェース、ＵＳＢ（Universal Serial Bus）インタフェースなど、各種外部機器を接続するためのインタフェースの集合体である。本実施形態では、外部機器Ｉ／Ｆ部２２０には信号線を介して本体部１０が接続される。ユーザＩ／Ｆ部２３０は、周波数特性調整装置１の使用をユーザに促すユーザインタフェースを提供する。図１に示すように、ユーザＩ／Ｆ部２３０は、操作入力部２３２と表示部２３４とを含む。
【００１８】
操作入力部２３２は、例えばキーボードやマウスである。操作入力部２３２に対して何らかの操作（例えばキーボードに設けられているキーの押下、或いはマウスによるクリックやドラッグ）が為されると、操作入力部２３２はその操作内容を表すデータ（以下、操作内容データ）を制御部２１０へ出力する。これにより、ユーザの操作内容が制御部２１０に伝達される。
【００１９】
表示部２３４は例えば液晶ディスプレイとその駆動装置である。表示部２３４は、制御部２１０による制御の下、各種画像を表示する。制御部２１０による制御の下で表示部２３４が表示する画像の一例としては、ユーザの周波数特性の調整作業を支援する調整支援画面の画像が挙げられる。図２は、表示部２３４に表示される調整支援画面の一例を示す図である。図２に示す調整支援画面上には、特性表示領域Ａ０１と、仮想操作子ＶＦ０１〜ＶＦ０７、Ｂ０１およびＢ０２が設けられている。
【００２０】
特性表示領域Ａ０１には、例えば、横軸を対数スケールの周波数、縦軸をデシベル（ｄＢ）スケールの振幅とした２次元平面に、調整対象となる周波数特性を示すグラフ（ライン）や目標特性を示すグラフ（ライン）が表示される。仮想操作子ＶＦ０１〜ＶＦ０７の各々は、調整対象となる周波数特性を目標特性に向けて調整するための周波数レスポンスの調整量（各周波数成分の調整量）をユーザに設定させる仮想フェーダである。特性表示領域Ａ０１と、仮想操作子ＶＦ０１〜ＶＦ０７の表示領域とを合わせた全体的な表示領域は、周波数とゲインとを示す２次元表示領域と看做せる。仮想操作子Ｂ０２は、周波数特性の調整終了をユーザに指示させるための仮想操作子であり、仮想操作子Ｂ０１は、リモコン部２０の動作モードの切り換えをユーザに指示させるための仮想操作子である。
【００２１】
周波数特性調整装置１は、第１の動作モードと第２の動作モードの２種類の動作モードを有する。仮想操作子Ｂ０１は第１の動作モードから第２の動作モードへの切り換え、或いは第２の動作モードから第１の動作モードへの切り換えをユーザに指示させるための仮想操作子である。第１の動作モードとは、調整対象となる周波数特性（周波数スペクトル、frequency spectrum）を表すデータに所定の平滑度で平滑化処理を施すことで得られた周波数スペクトル包絡（frequency spectrum envelope）である平滑化特性と、目標特性との関係に基づいて、上記調整量をユーザに設定させる動作モードである。目標特性は、調整の目標となる周波数スペクトル包絡（目標スペクトル包絡）である。平滑化処理の具体例としては、対数スケールの周波数軸をリニアスケールの時間軸と見立てたローパスフィルタ処理であり、カットオフ周波数が高いほど高い平滑度に相当する。対数スケールの周波数軸では、周波数方向にユーザの感覚にリニアな調整を行える。単純なローパスフィルタの例としては、振幅の移動平均を算出する処理が挙げられ、その移動平均する幅が広いほど高い平滑度に相当する。なお、周波数軸を、ユーザの指示に応じて、リニアスケールに切換えてグラフ表示できるようにしてもよい。リニアスケールに切換えた場合、平滑化処理は、その周波数軸をそのまま時間軸と見立てたローパスフィルタ処理とすればよい。このような平滑化処理を施すことで調整対象となる周波数特性に現れていた微細なピークやディップは平滑化される。つまり、平滑化特性をグラフ化した場合のグラフ（カーブしたライン）は調整対象となる周波数特性そのもののグラフよりも滑らかになる。調整対象の周波数特性そのものではなく、平滑化特性を用いて上記調整量をユーザに設定させるようにした理由は次の通りである。また、振幅軸に関しても、ユーザの指示に応じて、リニアスケールに切換えられるようにしてもよい。
【００２２】
前述したように、調整対象の周波数特性に目標特性には現れていないピークやディップが現れている場合であっても、音響技術者はそれらピークやディップの全てを解消することを望んでいる訳ではない。それらピークやディップの全てを解消しようとすると、かえって音質の劣化を招く場合があるからである。このため、一般に、音響技術者には、ある程度大まかな解像度で周波数特性を認識（周波数特性を粗視化して認識）して調整したいといったニーズがある。このような音響技術者のニーズに対して、調整対象の周波数特性そのものを用いたのでは必要以上に変化が激し過ぎ、特性が細か過ぎる。そこで、本実施形態では、調整対象の周波数特性を平滑化して（換言すれば、解像度を下げて）得られた平滑化特性と目標特性との関係に基づいて上記調整量を設定できるようにしたのである。
【００２３】
第１の動作モードにおいては、例えば、横軸を対数スケールの周波数軸とし縦軸をデシベルスケールの振幅軸とする二次元座標平面に平滑化特性を表す二点鎖線のグラフＧ０１と目標特性を表す実線のグラフＧ０２をプロットして得られる画像（図３Ａ参照）が特性表示領域Ａ０１に表示される。図３Ａに示す例では、目標特性として０ｄＢの平坦な周波数特性が採用されており、目標特性を表すグラフＧ０２は周波数軸と重なっている。なお、図３Ａに示す例では、目標特性が０ｄＢの平坦な周波数特性であるため、グラフＧ０１は、目標特性と平滑化特性との差分を示すグラフともいえる。なお、目標特性として他の周波数特性（例えば、高域ほど減衰が大きい周波数特性、或いは低域ほど減衰が大きい周波数特性）を採用しても勿論良い。
なお、周波数特性同士の「差分」とは、一方の周波数特性を周波数ｆの関数として表したグラフ（ライン）Ｌ１（ｆ）と、他方の周波数特性を周波数ｆの関数として表したグラフ（ライン）Ｌ２（ｆ）との差分である「Ｌ１（ｆ）−Ｌ２（ｆ）」を意味する。つまり、当該「差分」は、周波数ｆの関数である。
【００２４】
また、本実施形態では、平滑化特性を表すグラフＧ０１として平滑化特性そのものを表すグラフが採用されているが、平滑化特性そのものの代わりに当該平滑化特性の逆特性を表すグラフ（周波数軸に対して平滑化特性と対称なグラフ）を採用しても良く、平滑化特性そのもののグラフを表示するのか逆特性のグラフを表示するのかをユーザの操作に応じて切り換えても良い。周波数特性の調整の際に周波数特性そのものを参照しながら調整を行うのか、それとも逆特性を参照しながら調整を行うのかについては音響技術者の好みによって異なるからである。目標特性についても同様に、目標特性そのものの代わりに目標特性の逆特性を表示しても良く、目標特性そのものを表示するか、逆特性を表示するのかをユーザの操作に応じて切り換えても良い。また、図３Ａでは、平滑化特性と目標特性とでグラフを描画する線の種別が異なっており、ユーザはグラフＧ０１とグラフＧ０２の各々が平滑化特性と目標特性の何れを表すのかをグラフの線の種別を通じて視覚的に把握することができるが、線の色で両者を区別できるようにしても良い。例えば、平滑化特性を青色の線で描画し、目標特性を青色以外の色（例えば、緑または赤等）で描画しても良い。
【００２５】
本実施形態においても特許文献１に開示の技術と同様に、ユーザは、特性表示領域Ａ０１に表示された画像に対する操作により、目標特性への合わせ込みを行う対象となる(target)周波数帯域（これを単に「周波数帯域」ともいう）を、スピーカ３の再生可能帯域等に応じて指定することができる。図３Ａにおける点線はユーザにより指定された周波数帯域の下限周波数に対応し、図３Ａにおける一点鎖線は当該周波数帯域の上限周波数に対応する。
【００２６】
一方、第２の動作モードとは、平滑化の度合いが異なる２つの平滑化特性同士の関係に基づいて上記調整量をユーザに設定させる動作モードである。例えば、上記平滑化処理として上記ローパスフィルタ処理が採用されている場合には、この第２の動作モードでは、カットオフ周波数を所定の値Ｆ０（第１の平滑度）に設定した場合の平滑化特性である第１の平滑化特性と上記カットオフ周波数を値Ｆ０より高い値Ｆ１（第１の平滑度より低い第２の平滑度）に設定した場合の平滑化特性である第２の平滑化特性の関係に基づいて上記調整量をユーザに設定させる。カットオフ周波数が低いほどローパスフィルタ処理による平滑化の度合いは大きくなり、解像度は低くなる。つまり、第２の平滑化特性をグラフ化した場合のグラフ（ライン）には、第１の平滑化特性のグラフ（ライン）には現れていない細かなピークやディップが現れる。本実施形態では、第１の平滑化特性と第２の平滑化特性を別々に、すなわち互いに独立に生成する。
【００２７】
例えば、本実施形態の第２の動作モードにおいては、上記二次元座標平面に第１の平滑化特性を表す二点鎖線のグラフＧ０１と第２の平滑化特性を表す一点鎖線のグラフＧ０３とをプロットして得られる画像（図３Ｂ参照）が特性表示領域Ａ０１に表示される。第２の動作モードでは、ユーザは、第１の平滑化特性のグラフには現れていないものの第２の平滑化特性のグラフには現れている細かなピークの何れかを選択し、当該ピークを平坦にするための調整量を設定することができる。例えば、第１の動作モードにおいて生成した平滑化特性を第２の動作モードにおける第１の平滑化特性とすることで、第１の動作モードによる調整量の設定に引き続いて第２の動作モードによる調整量の設定を行い、第１の動作モードによる調整から解像度を引き上げた調整を行うことができる。このため、本実施形態では第１の動作モードの他に第２の動作モードが設けられているのである。なお、第２の動作モードにて表示される各グラフについても、第１或いは第２の平滑化特性そのもののグラフであっても良いし、逆特性のグラフであっても良い。また、グラフを描画する線の種別ではなく線の色で第１の平滑化特性と第２の平滑化特性とを区別できるようにしても良い。なお、必要に応じて第２の動作モードによる調整を単独で行ってもよく、この場合は、第２の平滑化特性を第１の平滑化特性に近づけるような調整が行われる。つまり、この場合は、第１の平滑化特性を、調整の目標となる周波数スペクトル包絡（目標スペクトル包絡）と捉えることができる。
【００２８】
記憶部２４０は、揮発性記憶部２４２と不揮発性記憶部２４４を含む。揮発性記憶部２４２は、例えばＲＡＭ（Random Access Memory）であり、プログラムを実行する際のワークエリアとして制御部２１０によって利用される。不揮発性記憶部２４４は例えばＥＥＰＲＯＭ（Electrically Erasable Programmable Read-Only Memory）或いはフラッシュＲＯＭ（Read Only Memory）である。不揮発性記憶部２４４には、前述した調整支援プログラムが格納されている他、ＯＳ（Operating System）を制御部２１０に実現させるためのカーネルプログラムが格納されている。
【００２９】
リモコン部２０の電源（図１では図示略）が投入されると、制御部２１０はカーネルプログラムを不揮発性記憶部２４４から揮発性記憶部２４２へ読み出し、その実行を開始する。カーネルプログラムにしたがって動作しＯＳを実現している状態の制御部２１０は、操作入力部２３２に対する操作により、他のプログラムの実行指示を与えられると、当該実行を指示されたプログラムを不揮発性記憶部２４４から揮発性記憶部２４２へ読み出し、その実行を開始する。例えば操作入力部２３２を介して調整支援プログラムの実行指示を与えられると、制御部２１０は調整支援プログラムを不揮発性記憶部２４４から揮発性記憶部２４２へ読み出し、その実行を開始する。
【００３０】
制御部２１０は、調整支援プログラムにしたがって、前述した第１の動作モードと第２の動作モードの何れかで動作する。本実施形態では、調整支援プログラムの実行開始時点では、制御部２１０は第１の動作モードで動作し、以降、仮想操作子Ｂ０１が操作される毎に動作モードが切り換わる。例えば第１の動作モードで動作している状況下で仮想操作子Ｂ０１が操作された場合には、制御部２１０は動作モードを第２の動作モードへ切り換える。逆に、第２の動作モードで動作している状況下で仮想操作子Ｂ０１が操作された場合には、制御部２１０は動作モードを第１の動作モードへ切り換える。
【００３１】
制御部２１０は、動作モードが第１の動作モードであるか第２の動作モードであるかを問わず、調整支援プログラムに従って、取得処理、抽出処理、設定処理、表示制御処理、検知処理、交点周波数更新(change, modify, edit)処理および調整量更新処理（図１参照）の各処理を、図４のフローチャートに示す順に実行する。なお、図４のステップＳＡ１８０には、検知処理、交点周波数更新処理および調整量更新処理が含まれる。第１および第２の動作モードの各々における各処理の詳細は以下の通りである。
【００３２】
取得処理で行われることは、第１の動作モードと第２の動作モードとで異なる。第１の動作モードにおける取得処理では、制御部２１０は、平滑化特性を示す平滑化特性データと目標特性を示す目標特性データとを取得する。一方、第２の動作モードにおける取得処理では、制御部２１０は、第１の平滑化特性を表す第１の平滑化特性データと、第２の平滑化特性を表す第２の平滑化特性データとを取得する。ここで、平滑化特性データ、第１の平滑化特性データ、第２の平滑化特性データは、何れも、測定されたフィルタを除く再生系の周波数特性を平滑化して得られるデータである。従って、ここでの取得処理は、測定された周波数特性を取得し、取得された周波数特性を平滑化して必要な平滑化特性データを算出する処理であってもよい。
【００３３】
平滑化特性データの取得態様については種々の態様が考えられる。例えば、本体部１０において平滑化処理を実行し、その処理結果であるデータを本体部１０から取得する態様であっても良く、または、再生系全体について本体部１０にて測定された周波数特性を表すデータを当該本体部１０から取得し、制御部２１０が平滑化処理を実行して平滑化特性データを生成する態様であっても良い。目標特性データの取得態様についても種々の態様が考えられる。例えば、予め複数種の目標特性データを不揮発性記憶部２４４に予め格納しておき、所望の目標特性を表す目標特性データをユーザに指定させる態様であっても良い。なお、第２の動作モードにおける第１および第２の平滑化特性データの取得態様は、第１の動作モードにおける平滑化特性データの取得態様と同じである。
【００３４】
抽出処理は、調整対象の周波数特性を目標特性に向けて調整する際の操作単位となる部分帯域を抽出する処理であり、目標特性への調整対象範囲の全体である周波数帯域は、当該抽出処理によって複数の部分帯域に分割される。操作単位となる部分帯域とは、調整対象の周波数特性を目標特性に向けて調整する調整量が一括して（１パラメータで）設定される（すなわち、調整量を設定する際の最小単位となる）１つの周波数範囲である。このような部分帯域は、調整対象の周波数特性の目標特性へ向けての調整作業を行うユーザにとって、認識し易い、操作し易い、調整作業をし易いものであることが望ましい。
【００３５】
そこで、本実施形態の第１の動作モードにおける抽出処理では、制御部２１０は、周波数帯域から、平滑化特性と目標特性の差分の符号が連続して正または負の何れか一方となっている区間（平滑化特性と目標特性の交点から交点、すなわち連続する２つの交点で挟まれる区間）を上記操作単位の部分帯域として抽出する。これに対して、第２の動作モードにおける抽出処理では、制御部２１０は、第１の平滑化特性と第２の平滑化特性との差分の符号が連続して正または負の何れか一方となっている区間（第１の平滑化特性と第２の平滑化特性の交点から交点、すなわち連続する２つの交点で挟まれる区間）を上記操作単位の部分帯域として抽出する。第１の動作モードにおける場合と同様に操作単位となる部分帯域が、ユーザにとって、認識し易い、操作し易い、調整作業をし易いものとなるようにするためである。
【００３６】
例えば、動作モードが第１の動作モードであり、平滑化特性が図５ＡのグラフＧ０１で表され、目標特性が図５ＡのグラフＧ０２で表されているとする。図５Ａにおいて点Ｐ０１は目標特性への調整を行う周波数帯域の左端（すなわち、下限）であり、点Ｐ０７は同周波数帯域の右端（すなわち、上限）である。また、図５ＡにおけるグラフＧ０１は図３ＡにおけるグラフＧ０１と同一であり、図５ＡにおけるグラフＧ０２は図３ＡにおけるグラフＧ０２と同一である。図５Ａにおける交点Ｐ０２〜Ｐ０６は平滑化特性を表すグラフＧ０１と目標特性を表すグラフＧ０２の交点である。図５Ａにおける記号“＋”および“−”は、平滑化特性と目標特性の差分の符号を意味している。平滑化特性と目標特性とが図５Ａに示す関係にある場合、制御部２１０は、点Ｐ０１およびＰ０７についても平滑化特性と目標特性の交点と見做し、点Ｐ０１を左端とし点Ｐ０７を右端とする周波数帯域を連続する２つの交点で区画される６つの部分帯域に分割し、これら６つの部分帯域の各々を操作単位として抽出する。すなわち、図５Ａにおける交点Ｐ０１と交点Ｐ０２とで区画される第１の部分帯域、交点Ｐ０２と交点Ｐ０３とで区画される第２の部分帯域、交点Ｐ０３と交点Ｐ０４とで区画される第３の部分帯域、交点Ｐ０４と交点Ｐ０５とで区画される第４の部分帯域、交点Ｐ０５と交点Ｐ０６とで区画される第５の部分帯域、および、交点Ｐ０６と交点Ｐ０７とで区画される第６の部分帯域が抽出される。図５Ａを参照すれば明らかなように、第１、第３、および第５の部分帯域においては平滑化特性と目標特性との差分は常に負であり、第２、第４、および第６の部分帯域においては平滑化特性と目標特性との差分は常に正である。
【００３７】
上記状態から動作モードが第２の動作モードに切り換えられ、第１の平滑化特性が図３ＢのグラフＧ０１で表され、第２の平滑化特性が図３ＢのグラフＧ０３で表されたとする。この場合、第１の動作モードの抽出処理にて抽出された各部分帯域はより細かな部分帯域に細分される。図５Ｂは、上記第２の部分帯域を拡大した図である。図５Ｂに示す例では、図５Ａにおける第２の部分帯域（交点Ｐ０２と交点Ｐ０３とで挟まれた区間）は、第１の平滑化特性と第２の目標特性の交点から交点（連続する２つの交点）で区画されるサブ部分帯域に分割される。すなわち、交点ＳＰ０１と交点ＳＰ０２で区画される第１のサブ部分帯域、交点ＳＰ０２と交点ＳＰ０３で区画される第２のサブ部分帯域、交点ＳＰ０３と交点ＳＰ０４で区画される第３のサブ部分帯域、交点ＳＰ０４と交点ＳＰ０５で区画される第４のサブ部分帯域、および、交点ＳＰ０５と交点ＳＰ０６で区画される第５のサブ部分帯域に分割される。なお、図５Ｂにおける交点ＳＰ０１は図５Ａにおける交点Ｐ０２に対応し、図５Ｂにおける交点ＳＰ０６は図５Ａにおける交点Ｐ０３に対応する。図５Ｂを参照すれば明らかなように、図５Ｂにおける第１、第３および第５のサブ部分帯域では、第２の平滑化特性と第１の平滑化特性との差分は常に正であり、第２および第４のサブ部分帯域では第２の平滑化特性と第１の平滑化特性との差分は常に負である。図５Ｂに示す例では、第２の部分帯域が上記５つのサブ部分帯域に分割されたが、これは一例であって、第２の部分帯域の分割数は５には限定されない。その時点のＩＲ（Impulse Response）或いは設定パラメータによっては、分割数が２つの場合もあれば、１０など６以上の場合もあり得る。また、第１、第３〜第６の各部分帯域も、それぞれ、同様に複数のサブ部分帯域に分割されてよい。
【００３８】
設定処理で行われることは、第１の動作モードと第２の動作モードとで変わるところは無い。この設定処理では、制御部２１０は、抽出処理にて抽出された部分帯域（又はサブ部分帯域）を、周波数特性の調整の際の操作単位として設定する。
【００３９】
表示制御処理で行われることは、第１の動作モードと第２の動作モードとで異なる。第１の動作モードにおける表示制御処理では、制御部２１０は、平滑化特性のグラフと目標特性のグラフを特性表示領域Ａ０１に表示させる。一方、第２の動作モードにおける表示制御処理では、制御部２１０は、第１の平滑化特性のグラフと第２の平滑化特性のグラフを特性表示領域Ａ０１に表示させる。
【００４０】
ユーザは、上記の要領で特性表示領域Ａ０１に表示されたグラフに対する操作により、設定処理にて設定された部分帯域毎に、周波数レスポンスを制御する調整量として、平滑化特性（第２の動作モードであれば第２の平滑化特性）と目標特性（第２の動作モードであれば第１の平滑化特性）との差分を示す形状に対する変形の割合（％単位）を設定する。当該差分を示す形状とは、部分帯域において、隣合う２つの交点と２つのライン（第１の動作モードであれば平滑化特性を表すグラフＧ０１と目標特性を表すグラフＧ０２、第２の動作モードであれば第２の平滑化特性のグラフＧ０３と第１の平滑化特性のグラフＧ０１）とで囲まれた領域の形状である。すなわち、ユーザは、所望の１つの部分帯域（ないしサブ部分帯域）の目標特性に向けての調整を、その部分帯域の平滑化特性の形状に関わらず、たった１つの調整量の増減で行える。中心周波数、Ｑ値およびゲインの設定等の煩雑な操作を行う必要がない。調整量を設定する部分帯域の指定方法については種々の態様が考えられる。例えば、第１の動作モードであれば、平滑化特性を表すグラフＧ０１と目標特性を表すグラフＧ０２とで囲まれた複数の各領域（平滑化特性と目標特性との差分に対応し、設定処理にて設定された部分帯域の対応する領域）内の任意の位置（グラフ上の位置を含む）を、ユーザがマウス等でクリックすることにより、周波数特性を調整する部分帯域を指定する態様が考えられる。なお、ユーザによる部分帯域の選択を補助するため、平滑化特性を表すグラフＧ０１と目標特性を表すグラフＧ０２とで囲まれた領域の表示態様を、当該領域内にマウスカーソルが位置しているか否かに応じて異ならせるようにしても良い。例えば、領域内にマウスカーソルが位置している場合には当該領域をハイライト表示し、位置していない場合にはハイライト表示を解除する。
【００４１】
フィルタの周波数特性（周波数レスポンス）の調整量の設定方法についても種々の態様が考えられる。例えば、仮想フェーダＶＦ０１〜ＶＦ０７の各々を、設定処理にて設定された各部分帯域に対応付けておき、ユーザが仮想フェーダＶＦ０１〜ＶＦ０７を操作することにより調整量を設定する態様が考えられる。この場合、前述したハイライト表示と同期させてマウスカーソルの位置している領域に対応する仮想フェーダの表示色を異ならせる（或いは明滅させる）ようにしても良い。
【００４２】
また、第１の動作モードであれば、ユーザが周波数特性の調整を所望する部分帯域における平滑化特性のグラフ上の任意の箇所（例えば、ピーク付近）をマウスクリックし、図６にてブロック矢印ＢＡ１或いはＢＡ２で示すように、目標特性に近づける（或いは目標特性から遠ざける）操作、すなわち、平滑化特性のグラフをドラッグして変形させる操作の操作量によって周波数特性の調整量をユーザに設定させても良い。この場合、平滑化特性の、ドラッグ操作による変形前グラフの変形後グラフに対する差分（平滑化特性グラフの変形量）が、フィルタの周波数レスポンスに相当する。逆に、目標特性のグラフを平滑化特性のグラフに近づける（或いは遠ざける）ドラッグ操作の操作量によって周波数特性の調整量をユーザに設定させても良い。この場合、ドラッグ操作により変形された目標特性のグラフの変形前グラフに対する差分（目標特性グラフの変形量）が、フィルタの周波数レスポンスに相当する。以降の説明では、後者、すなわち「目標特性のグラフを変形する」態様を採用する。なお、表示される周波数レスポンスは逆特性であり、目標特性のグラフが上向きに変形された部分帯域ではフィルタで音信号が減衰され、下向きに変形された部分帯域では音信号が増幅される。平滑化特性のグラフと目標特性のグラフとの差分は、目標特性のグラフの変形量が１００％の場合の、つまり、平滑化特性を目標特性に一致させた（完全に合わせ込んだ）場合のフィルタの周波数レスポンスに対応する。同様に、第２の動作モードであれば、第１の平滑化特性のグラフを第２の平滑化特性のグラフに近づける（或いは遠ざける）操作、逆に第２の平滑化特性のグラフを第１の平滑化特性のグラフに近づける（或いは遠ざける）操作の操作量によって周波数特性の調整量をユーザに設定させても良い。前者では、第１の平滑化特性グラフの変形量が周波数レスポンスに相当し、後者では、第２の平滑化特性グラフの変形量が周波数レスポンスに相当する。以降の説明では、前者、すなわち、「第１の平滑化特性を変形する」態様を採用する。こちらも逆特性であり、第１の平滑化特性のグラフが上向きの変形されたサブ部分帯域ではフィルタで音信号が減衰され、下向きに変形された部分帯域では増幅される。第１の平滑化特性のグラフと第２の平滑化特性のグラフとの差分は、第１の平滑化特性のグラフの変形量が１００％の場合の、つまり、第２の平滑化特性を第１の平滑化特性に一致させた（完全に合わせ込んだ）場合のフィルタの周波数レスポンスに対応する。
【００４３】
また、第１の動作モードであれば、平滑化特性のグラフと目標特性のグラフとで囲まれた領域（平滑化特性と目標特性との差分に対応し、設定処理にて設定された部分帯域の対応する領域）に対してユーザが行った操作（例えば当該領域内の任意の点をクリックしてドラッグする操作）の操作量或いは当該操作量に応じて設定される割合（％）として、周波数レスポンスを制御する調整量を設定しても良く、当該領域のうちその調整量に相当する面積分の表示態様を異ならせることで調整量が設定されていること、或いはその調整量をユーザに表示しても良い。例えば、ドラッグ操作により目標特性グラフを変形する場合、図７に示すように、目標特性を基準として上記調整量に相当する面積部分にハッチングを付与する（或いは表示色を異ならせる）。第２の動作モードにおいても同様に、第１の平滑化特性のグラフと第２の平滑化特性のグラフとで囲まれた領域（第１の平滑化特性と第２の平滑化特性との差分に対応し、設定処理にて設定された部分帯域の対応する領域）に対してユーザが行った操作の操作量或いは当該操作量に応じて設定される割合（％）として、周波数レスポンスを制御する調整量を設定しても良く、さらに、当該領域のうちその調整量に相当する面積分の表示態様を異ならせても良い。例えば、第１の動作モードによる調整に後続して第２の動作モードによる調整を行う場合には、第１の平滑化特性を基準として当該第２の動作モードにて設定した調整量に相当する面積部分の表示態様を異ならせる（ハッチングを付与する或いは表示色を異ならせる）ようにすれば良い。
【００４４】
図７に示す要領で調整量の表示を行う態様であれば、各部分帯域について周波数特性の調整量の現在値、および平滑化特性や目標特性と当該調整量との関係を一目で把握することが可能になる。なお、ある部分帯域で平滑化特性を超過する調整量が設定された場合には、その超過分に対応する領域の表示態様（表示色或いはハッチングパターン）を異ならせても良い。グラフをドラッグして変形させる操作により周波数特性の調整量を設定する態様において、仮想フェーダＶＦ０１〜ＶＦ０７の各々が設定処理にて設定された各部分帯域に対応付けられているのであれば、上記マウス操作によって設定されたある部分帯域の調整量に応じて、対応する１つの仮想フェーダにおけるつまみの表示位置を更新(change)するようにしても良い。例えば、図５Ａにおける交点Ｐ０２とＰ０３とで区画される部分帯域に仮想フェーダＶＦ０２が対応付けられており、図７に示すように当該部分帯域における周波数特性の調整量が設定された場合には、仮想フェーダＶＦ０１〜ＶＦ０７の各々におけるつまみの表示位置は図８のように更新される。この場合、仮想フェーダＶＦ０１〜ＶＦ０７のつまみの表示位置は、全体として、補正パラメータに応じた信号処理に用いられるフィルタの周波数レスポンスを示している。なお、図８は、フィルタの周波数レスポンスの逆特性を表示する態様を例示する。したがって、各仮想フェーダＶＦ０１〜ＶＦ０７において、つまみが上方に位置するほど、フィルタによる対応する帯域の音信号の減衰量が増える。
【００４５】
また、周波数特性の調整量の最大値および最小値を部分帯域毎に予め定め、これら最大値および最小値の範囲内でのみ周波数特性の調整量を設定させるようにしても良い。例えば、第１の動作モードの場合、平滑化特性のグラフの方が目標特性のグラフよりも大きい部分帯域においては、ドラッグ操作による図７のグラフの変形できる範囲を、最大で平滑化特性のグラフに一致するまで、かつ、最小で目標特性のグラフに一致するまでとなるよう、調整量の最大値及び最小値を適宜定める一方、目標特性の方が平滑化特性よりも大きい部分帯域においては、ドラッグ操作によるグラフの変形範囲を、最大で目標特性のグラフに一致するまで、最小で平滑化特性のグラフに一致するまでとなるよう、調整量の最大値及び最小値を適宜定める。なお、上記調整量の初期値を上記最小値（フラットな周波数レスポンスに相当）に定めて置き、当該初期値からのドラッグ操作により周波数特性の調整量をユーザに設定させても良い。この場合、仮想フェーダＶＦ０１〜ＶＦ０７の各々におけるつまみの初期表示位置は、図７のドラッグ操作前の目標特性のグラフに対応するゼロ位置になる。部分帯域の指定が為された状態で、図示しない特定の操作子が操作された場合には、その部分帯域の周波数特性の調整量を所定の値（上記最大値或いは最小値）にリセットしても良い。
【００４６】
以上が周波数特性を調整する部分帯域の指定操作、および調整量の設定操作の具体例であるが、これらの操作の他にも、ユーザは、マウスによる各グラフ（第１の動作モードであれば、平滑化特性或いは目標特性のグラフ、第２の動作モードであれば第１或いは第２の平滑化特性のグラフ）のドラッグ操作により、そのグラフを縦軸方向に平行移動することができ、また、２つのグラフの各交点のドラッグ操作により、その交点を目標となる一方のグラフ上で周波数軸方向に移動して、他方のグラフを変形することができる。このように、ユーザによる平滑化特性、目標特性、第１の平滑化特性、或いは第２の平滑化特性のグラフの変更操作に応じて、各グラフが変更される。
【００４７】
検知処理で行われることは、第１の動作モードと第２の動作モードとで異なる。第１の動作モードにおける検知処理では、制御部２１０は、平滑化特性と目標特性の少なくとも一方を変化（変形或いは平行移動）させるユーザ操作を検知する。一方、第２の動作モードにおける検知処理では、制御部２１０は、第１の平滑化特性と第２の平滑化特性の少なくとも一方を変化させるユーザ操作を検知する。
【００４８】
調整量更新処理は、ユーザによりある部分帯域の周波数特性の調整量を変更する操作が行われ、上記検知手段によりその操作が検知された場合に実行される処理である。調整量更新処理の処理内容は第１の動作モードと第２の動作モードとで変わりはない。調整量変更処理においては、制御部２１０は、当該部分帯域について、ユーザにより設定された調整量（第１の動作モードであれば平滑化特性と目標特性との差分に対する乗算係数、第２の動作モードであれば第１の平滑化特性と第２の平滑化特性との差分に対する乗算係数）に応じて、上記フィルタの周波数レスポンスを更新する。
【００４９】
交点周波数更新処理は、ユーザによるある交点の移動操作が検知された場合に実行される処理である。交点周波数更新処理で行われることは、第１の動作モードと第２の動作モードとで異なる。第１の動作モードにおける交点周波数更新処理では、制御部２１０は、移動後の交点において平滑化特性のグラフと目標特性のグラフが交差し、かつ前者が滑らかな曲線となるように平滑化特性データを更新する。これに対して第２の動作モードにおける交点周波数更新処理では、制御部２１０は、移動後の交点において第１の平滑化特性のグラフと第２の平滑化特性のグラフが交差し、かつ前者が滑らかな曲線となるように第２の平滑化特性データを更新する。なお、第１の動作モードおよび第２の動作モードのどちらにおいても、交点の周波数方向への移動操作により、当該交点を両端のうちの一方として有する、２つの部分帯域の幅がそれぞれ変更される。このとき、幅が変更された何れかの部分帯域の調整量がゼロでなければ、前述した調整量更新処理が起動され、更新された平滑化特性データに応じて、フィルタの周波数レスポンスが更新される。
【００５０】
図４に示すように、調整支援プログラムにしたがって、制御部２１０は、取得処理、抽出処理、設定処理、および表示制御処理を順次実行し（図４：ステップＳＡ１００〜ステップＳＡ１３０）、ユーザによる操作を待ち受ける（ステップＳＡ１４０）。ユーザが操作入力部２３２に対して何らかの操作を行うと、ステップＳＡ１４０の判定結果は“Ｙｅｓ”になり、制御部２１０はステップＳＡ１５０以降の処理を実行する。
【００５１】
ステップＳＡ１５０では、制御部２１０は、動作モードの切り換えを指示されたか否か（すなわち、仮想操作子Ｂ０１がクリックされたのか）を判定する。ステップＳＡ１５０の判定結果が“Ｙｅｓ”である場合には、制御部２１０は、動作モードを切り換え（ステップＳＡ１６０）、ステップＳＡ１００以降の処理を実行する。逆にステップＳＡ１５０の判定結果が“Ｎｏ”である場合には、制御部２１０は、ステップＳＡ１７０以降の処理を実行する。
【００５２】
ステップＳＡ１７０では、制御部２１０は、終了指示が為されたか否か（すなわち、仮想操作子Ｂ０２がクリックされたのか）を判定する。ステップＳＡ１７０の判定結果が“Ｙｅｓ”である場合には、制御部２１０は、表示部２３４に調整支援画面を消去させ、調整支援プログラムの実行を終了する。逆にステップＳＡ１７０の判定結果が“Ｎｏ”である場合には、制御部２１０は、操作内容に応じた処理を実行し（ステップＳＡ１８０）、ステップＳＡ１３０以降の処理を再度実行する。
【００５３】
ステップＳＡ１８０にて実行される処理の具体例は次の通りである。例えば、ユーザの行った操作が、部分帯域を選択して周波数特性の調整量を変更する操作であれば、ステップＳＡ１８０では制御部２１０は、その操作量に応じて当該部分帯域の調整量を変更する。ステップＳＡ１８０に後続して実行される表示制御処理ＳＡ１３０では、このようにして変更された調整量に応じてハッチング表示が行われる。
【００５４】
また、ユーザの行った操作が、ある交点を移動する操作であれば、ステップＳＡ１８０では、制御部２１０は、前述した交点周波数更新処理を実行する。なお、交点を移動する操作が行われた時点で、何れかの部分帯域に対して周波数特性の調整量が設定されているのであれば、制御部２１０は、交点周波数更新処理に加えて、前述した検知処理および調整量更新処理を実行する。
【００５５】
そして、何れかの部分帯域に対して周波数特性の調整量が設定済みの状況下でグラフを縦軸方向に平行移動する操作が行われた場合、ステップＳＡ１８０では、制御部２１０は、前述した検知処理および調整量更新処理を実行する。
以上が周波数特性調整装置１の構成である。
【００５６】
（Ｂ：動作）
次いで、周波数特性調整装置１を用いた周波数特性の調整手順に即してリモコン部２０の動作を説明する。周波数特性調整装置１のユーザは、まず、調整対象となる周波数特性を前述した要領で測定する。調整対象となる周波数特性の測定が完了すると、ユーザは、操作入力部２３２に対する操作により調整支援プログラムの実行開始を指示し、制御部２１０は当該指示に応じて調整支援プログラムの実行を開始する。
【００５７】
調整支援プログラムの実行開始時点では、動作モードは第１の動作モードに設定されている。このため、制御部２１０は、第１の動作モードの取得処理、抽出処理、設定処理および表示制御処理を実行する（図４：ステップＳＡ１００〜ＳＡ１３０）。その結果、表示部２３４には、特性表示領域Ａ０１に図３Ａに示す画像を嵌め込んだ調整支援画面（図２参照）が表示され、制御部２１０は、この状態でユーザの操作を待ち受ける（図４：ステップＳＡ１４０）。
【００５８】
上記調整支援画面を視認したユーザは、操作入力部２３２に対する操作により、周波数特性を調整する部分帯域の選択および周波数特性の調整量の設定を行う。例えば、ユーザにより、交点Ｐ０２とＰ０３とで区画される部分帯域を指定し、平滑化特性に現れているピークを５０％の高さに引き下げる操作（すなわち、図７の目標特性のグラフをマウスで上向きにドラッグして、当該部分帯域における調整量を５０％に設定する操作）が行われたとする。ユーザにより上記操作が為されたことを契機としてステップＳＡ１４０の判定結果は“Ｙｅｓ”となり、制御部２１０はステップＳＡ１５０以降の処理を実行する。
【００５９】
この例においてユーザが行った操作は動作モードの切り換え指示ではなく、終了指示でもない。このため、ステップＳＡ１５０およびステップＳＡ１７０の判定結果は共に“Ｎｏ”となってステップＳＡ１８０処理が実行される。この例では、交点Ｐ０２とＰ０３とで区画される部分帯域についてピークを半分の高さに引き下げる操作が行われたのであるから、当該部分帯域の全体について、現在の振幅の５０％に対応する１つの調整量が設定される。より具体的には、次の通りである。上記部分帯域の左端の周波数ｆｌから右端の周波数ｆｒまでの周波数帯域内の任意の周波数ｆ（すなわち、ｆｌ≦ｆ≦ｆｒ）における上記操作前の振幅値がＡ（ｆ）であったとする。この場合、上記操作に応じて、周波数ｆｌから周波数ｆｒまでの間の全ての周波数ｆについて、調整対象の周波数特性の振幅値が０．５×Ａ（ｆ）になるよう減衰するフィルタの周波数レスポンスが設定される。すなわち、当該部分帯域の周波数レスポンスは、該全ての周波数ｆについて、平滑化特性と目標特性の差分と調整量との積に対応する値に設定されるのである。ステップＳＡ１８０に後続するステップＳＡ１３０では、ユーザによって設定された調整量に相当する周波数レスポンスが、図７にてハッチングで示すように、平滑化特性を表すグラフＧ０１および目標特性をグラフＧ０２とともに特性表示領域Ａ０１に表示される。
【００６０】
その後のユーザの操作により平滑化特性を表すグラフＧ０１が図９Ａのように更新され、周波数帯域の全体に亘って、８０％の値を持つ１つの調整量が設定されたとする。この状況下で平滑化特性のグラフＧ０１を、図９Ｂに示すように下方に平行移動（すなわち、平滑化特性の全体に亘って、グラフの形（曲線の形）を変えずに、グラフ全体を下に移動する（グラフ上の全ての値を、同じ量（同じ数値））だけ下へ移動する）させる操作をユーザが行ったとする。この場合、ステップＳＡ１８０では、検知処理および調整量更新処理が実行される。図９Ａに示す例では平滑化特性は全周波数帯域に亘って目標特性を上回っていた。この状態から図９Ｂに示す状態へ平滑化特性のグラフＧ０１を下方に平行移動すると、平滑化特性のグラフＧ０１と目標特性のグラフＧ０２とが交差して複数の部分帯域が生じ、その一部の部分帯域は平滑化特性が目標特性を下回る。調整量更新処理では各部分帯域毎に調整量が用意され、平行移動後の平滑化特性のグラフＧ０１が目標特性を上回る部分帯域の調整量は、上記平行移動前の１つの調整量と同じ値（８０％）に設定され、フィルタのその部分帯域の周波数レスポンスは、その部分帯域の上記平行移動後の平滑化特性と目標特性（図９Ｂに示す例では０ｄＢ）との差分と当該調整量との積に応じた値に更新される。また、平行移動後の平滑化特性のグラフＧ０１が目標特性を下回る部分帯域の調整量については、同様に、平行移動前の調整量と同じ値（８０％）に設定することで平行移動後の平滑化特性と目標特性との差分および当該調整量に応じた周波数レスポンスを設定しても良いし、あるいは、当該部分帯域の調整量を初期値０とし、当該部分帯域にフラットな周波数レスポンスを設定しても良い。本実施形態では前者の態様が採用されている。ステップＳＡ１８０に後続するステップＳＡ１３０では、ステップＳＡ１８０における更新内容を反映した表示が行われる。具体的には、制御部２１０は調整量更新処理にて用意され更新された、複数の各部分帯域の調整量に応じて、各部分帯域の周波数レスポンスを示す上記ハッチング表示を行う。その結果、特性表示領域Ａ０１の表示内容は図９Ｂに示す画像に更新される。
【００６１】
その後、ユーザが、平滑化特性および調整量を図７の状態にリセットする操作を行い、さらに交点Ｐ０３を低域側へ移動させる操作を行ったとする。この場合、ステップＳＡ１８０では交点周波数更新処理、検知処理および調整量更新処理が実行される。より詳細に説明すると、まず、交点周波数更新処理により、平滑化特性のグラフＧ０１が、移動後の交点Ｐ０３において目標特性のグラフＧ０２と交差し、かつ滑らかな曲線となるように、平滑化特性が更新される。そして、このような平滑化特性の変化は検知処理によって検知され、当該検知を契機として調整量更新処理が実行される。この調整量更新処理では、交点Ｐ０２と移動前の交点Ｐ０３とで区画されていた部分帯域において設定されていた調整量の値（５０％）を、そのまま交点Ｐ０２と上記移動後の交点Ｐ０３とで区画される部分帯域の調整量とし、その部分帯域の周波数レスポンスを上記更新後の平滑化特性と目標特性の差分と当該調整量との積として算出する。その結果、特性表示領域Ａ０１の表示内容は図１０に示す画像に更新される。
【００６２】
目標特性との関係に基づいて周波数特性の調整量の大まかな設定が完了すると、ユーザは、周波数特性の調整量をよりきめ細やかに設定するために仮想操作子Ｂ０１をクリックする。ユーザにより当該操作が為されたことを契機としてステップＳＡ１４０の判定結果は“Ｙｅｓ”となり、制御部２１０はステップＳＡ１５０以降の処理を実行する。ユーザの行った操作は仮想操作子Ｂ０１のクリックであるから、ステップＳＡ１５０の判定結果は“Ｙｅｓ”となり、ステップＳＡ１６０の処理が実行される。このステップＳＡ１６０にて、制御部２１０は、リモコン部２０の動作モードを第１の動作モードから第２の動作モードへ切り換え、ステップＳＡ１００以降の処理を再度実行する。
【００６３】
例えば、図７に示すように調整量が設定されている状態でユーザが仮想操作子Ｂ０１をクリックしたとする。この場合、リモコン部２０の表示部２３４には、特性表示領域Ａ０１に図１１に示す画像を嵌め込んだ調整支援画面が表示され、制御部２１０は、この状態でユーザの操作を待ち受ける（図４：ステップＳＡ１４０）。図１１に示す画像は、第１の動作モードにて設定された調整量を示すハッチング表示を含む点が図３Ｂと異なる。
【００６４】
以降、ユーザは、動作モード１における場合と同様に、平滑化の度合いの異なる平滑化特性（すなわち、第２の平滑化特性）との関係に基づいて周波数特性を調整する部分帯域を選択する操作、当該部分帯域における調整量を設定する操作、第１の平滑化特性を表すグラフＧ０１と第２の平滑化特性を表すグラフＧ０３の交点を周波数軸方向に移動させる操作、第１および第２の平滑化特性の各々のグラフを縦軸方向に平行移動させる操作等を行い、周波数特性の調整量をきめ細かく設定することができる。例えば、前述した交点ＳＰ０３と交点ＳＰ０４とで区画されるサブ部分帯域（図５Ｂ参照）を選択して調整量を引き上げる或いは引き下げる操作を行うことで、図１２Ａ或いは図１２Ｂのように、交点ＳＰ０１と交点ＳＰ０６とで区画されるサブ部分帯域における周波数特性の調整量をきめ細かく設定することができる。第１の動作モードによる調整量の設定に引き続いて第２の動作モードによる調整量の設定が行われると、第１の動作モードによる部分帯域の調整量と第２の動作モードによるサブ部分帯域の調整量の両方が加味され、フィルタの最終的な周波数レスポンスが決定される。第１の動作モードによる調整量と第２の動作モードによる調整量の両方を加味する際の具体的な態様は、例えば、デシベルスケール上で、第１の動作モードによる各部分帯域の調整量に応じた周波数レスポンスと、第２の動作モードによる各サブ部分帯域の調整量に応じた周波数レスポンスとを独立に算出し、両者を加算して最終的な周波数レスポンスを算出する態様である。
以上が本実施形態における周波数特性の調整手順である。
【００６５】
制御部２１０は、上記の要領で部分帯域乃至サブ部分帯域毎に設定された調整量に応じて算出されたフィルタの周波数レスポンスに基づいて、その周波数レスポンスに対応する補正パラメータ（ＦＩＲフィルタ係数）を算出し、本体部１０に与える。なお、上記周波数レスポンスから補正パラメータを算出する際の算出方法については、特許文献１に開示の技術と同様に逆フーリエ変換による方法であっても良いし、或いは特許文献２に開示の方法であっても良い。本体部１０は、ソース機器５から供給される音信号に上記補正パラメータ（ＦＩＲフィルタ係数、すなわちインパルスレスポンス）に応じた信号処理（ＦＩＲフィルタ処理、すなわちインパルスレスポンスの畳み込み）を施してスピーカ３へ出力する。このようにして、調整対象となる周波数特性を目標特性に近づけることができる。
【００６６】
以上説明したように本実施形態によれば、周波数特性調整装置１のユーザは、指定した部分帯域についてのみ調整対象となる周波数特性を目標特性に向けて調整することができる。また、本実施形態では、調整を行う部分帯域の指定、および当該部分帯域における周波数特性の調整量の設定を、ＧＵＩベースの直観的でわかりやすい操作で行うことができる。このように本発明によれば、指定した部分帯域についてのみ、調整対象となる周波数特性を、目標特性に向けて調整することができ、かつ当該調整を直観的でわかりやすい操作で行えるようになる。例えば、平滑化された周波数特性において現れたピークおよびディップのうち、ハウリングまたは色付けの原因となるピークを、選択的に解消する調整を、容易に行うことができる。なお、本実施形態による周波数特性調整装置１は、ユーザの判断に応じて、周波数特性を目標特性に完全には合わせこまない調整、または、周波数特性の少なくとも一部を目標特性から離すような調整に使用されてもよく、このような使用においても同様に、周波数特性の調整が容易であるという利便性を有する。
【００６７】
（Ｃ：変形）
以上本発明の実施形態について説明したが、この実施形態を以下のように変形しても良い。
（１）上記実施形態では、周波数特性調整装置１のリモコン部２０をノート型或いは据え置き型のパーソナルコンピュータで構成したが、リモコン部２０を所謂タブレット端末で構成しても良い。リモコン部２０をタブレット端末で構成する場合には、当該タブレット端末の表示部と当該表示部の表示面を被覆するように設けられた透明感圧センサシートなどのタッチセンサによりユーザＩ／Ｆ部２３０を構成すれば良い。この場合、タッチセンサが操作入力部２３２の役割を果たす。
【００６８】
（２）上記実施形態では、各部分帯域における周波数特性の調整量をユーザに設定させるため操作子として仮想操作子（仮想フェーダ）を用いたがハードウェアフェーダなどの物理操作子を用いても良い。
【００６９】
（３）上記実施形態では、調整対象となる周波数特性の測定を行った後に、目標特性に向けての調整をユーザに行わせる態様について説明した。このような態様は、測定された時点の（固定された）周波数特性を平滑化して得られる平滑化特性を用いるので、ユーザによる周波数レスポンスの調整でいちいち平滑化特性が変化せず、ユーザが調整を行い易い観点で好ましい。なお、音響空間２における構造物の配置変更、観客数の増減、湿度や温度の変化、ラウドスピーカ３の変更等により、フィルタを除く再生系の特性が変化した場合に、ユーザの測定操作に応じてフィルタを除く再生系の周波数特性を測定し、平滑化特性のグラフが、新たに測定された周波数特性に応じたものに変更されるようにしてもよい。なお、その場で測定された周波数特性を平滑化した平滑化特性に限らず、過去に測定された複数の平滑化特性の中からユーザが任意に選択した周波数特性を平滑化した平滑化特性を用いても良い。さらに、目標特性についても、ユーザの変更操作に応じて任意に変形された目標特性を用いたり、選択操作に応じて複数の目標特性の中から任意に選択した１の目標特性を用いて、目標特性のグラフが、新たに用いられるものに変更されるようにしてもよい。さらに言えば、目標特性として、他の会場で測定された周波数レスポンスの包絡や、同じ会場であっても、観客の入場数が違ったり、舞台上の設備が異なるなど、違う条件で測定された周波数レスポンスの包絡を用いても良い。それら過去に測定された周波数レスポンスの中から任意の周波数レスポンスを選択し、その周波数レスポンスの包絡を目標特性として用いることにより、ユーザは、現在の会場の周波数レスポンスを、過去に測定されたその周波数レスポンスに近づくよう調整することができる。
【００７０】
逆に、調整対象となる周波数特性の測定と、目標特性に向けての調整とを、時間的に並列に行うことも考えられる。具体的には、調整対象となる周波数特性の測定を行いつつリアルタイムにその測定結果に応じた平滑化特性の表示を周波数特性調整装置１に行わせる。この場合、特性表示領域Ａ０１に表示される平滑化特性のグラフはリアルタイムに更新されることになる。なお、周波数特性の調整量の設定が為されている場合には、平滑化特性のグラフの変化に追従させて当該調整量を更新し、当該調整量の更新に追従させてハッチング表示を更新しても良い。そして、ユーザが予め定められた所定の操作（所定の操作子の押下等）を行ったことを契機としてその時点の平滑化特性データを記憶しグラフの更新を停止するようにしても良い。
【００７１】
（４）上記実施形態では、何れかの部分帯域に対して周波数特性の調整量が設定された状況下で平滑化特性のグラフを縦軸方向に平行移動させる操作が行われた場合には、移動後の部分帯域毎に、移動前に対応する部分帯域に設定されていた調整量を引き継ぐよう更新した。また、平滑化特性のグラフの縦軸方向の平行移動に伴って、各々異なる割合で調整量が設定されていた複数の部分帯域が１つの部分帯域に結合される場合には、移動前の各部分帯域について設定されていた調整値の統計値（平均値、中央値、最頻出値、或いは最大値や最小値）に応じて、その１つの部分帯域の調整量を算出しても良い。
【００７２】
（５）上記実施形態では、第１の動作モードと第２の動作モードの切り換えが可能な周波数特性調整装置について説明したが、何れか一方の動作モードのみで動作する周波数特性調整装置を提供しても良い。なお、第２の動作モードにおいては、第１の平滑度の値とそれより低い第２の平滑度の値とをそれぞれ任意に変更して処理を繰り返し実行しても良い。また、上記実施形態では、周波数特性の調整の際の操作単位となる部分帯域の設定と、周波数特性の調整量の設定とを１つの装置に行わせたが、それぞれ別個の装置に行わせても良い。
【００７３】
（６）ユーザにより指定される周波数帯域の下限周波数以下のレンジおよび上限周波数以上のレンジは、典型的には、スピーカ３の変換効率（Sensitivity）が落ちる再生可能帯域外のレンジである。したがって、下限周波数以下のレンジの近傍および上限周波数以上のレンジの近傍では、調整量を設定してフィルタによる補正を行っても補正効果は小さく、また、無理にフィルタによる補正の量を大きくすると種々の悪影響がある。そこで、下限周波数以下のレンジおよび上限周波数以上のレンジの少なくとも一方のレンジで目標特性に一致するよう加工された平滑化特性（以下単に「加工された平滑化特性」ともいう）を用いて調整を行うようにしてもよい。
【００７４】
図１３Ａおよび図１３Ｂを参照して、このような態様について説明する。図１３Ａおよび図１３Ｂは、平滑化特性を示すグラフＧ０１、目標特性を示すグラフＧ０２、および、フィルタの周波数レスポンスを示すラインＦＲの表示例である。点線ＦＬおよび一点鎖線ＦＵは、それぞれ、ユーザにより指定された周波数帯域の下限周波数および上限周波数を示す。なお本例では、目標特性として、０ｄＢのフラットなラインからずれたグラフＧ０２を示す。
【００７５】
図１３Ａには、平滑化特性として、上述のような加工がされていないグラフＧ０１を示し、フィルタの周波数レスポンスとして、初期のフラット（０ｄＢで増幅・減衰なし）なラインＦＲを示す。当該周波数帯域は、部分帯域Ｂ０１〜Ｂ０６に分割されている。図１３Ａにおいて、最も低周波数側の部分帯域Ｂ０１における下限の周波数は、当該周波数帯域の下限周波数と一致し、最も高周波数側の部分帯域Ｂ０６における上限の周波数は、当該周波数帯域の上限周波数と一致している。
【００７６】
図１３Ｂには、加工された平滑化特性のグラフＧ０１を示す。加工された平滑化特性を示すグラフＧ０１として、下限周波数以下のレンジおよび上限周波数以上のレンジの少なくとも一方のレンジにおいて、目標特性のグラフＧ０２と滑らかに接続するグラフを表示するとよい。
【００７７】
図１３Ｂに示すように、加工された平滑化特性を用いる場合、最も低周波数側の部分帯域Ｂ０１における下限の周波数は、ユーザに指定された下限周波数と一致させず、加工された平滑化特性のグラフＧ０１が目標特性のグラフＧ０２と下限側で接続する周波数と一致させてもよい。また、最も高周波数側の部分帯域Ｂ０６における上限の周波数は、ユーザに指定された上限周波数と一致させず、加工された平滑化特性のグラフＧ０１が目標特性のグラフＧ０２と上限側で接続する周波数と一致させてもよい。このような場合、部分帯域Ｂ０１は、当該下限周波数よりも低周波数側にはみ出してよく、部分帯域Ｂ０６は、当該上限周波数よりも高周波数側にはみ出してよい。したがって、ユーザに指定された周波数帯域は、実際に調整の対象となる周波数帯域のおおよその目安を示すこととなる。
【００７８】
図１３Ｂには、フィルタの周波数レスポンスとして、初期のフラットなラインから変形された、調整後のラインＦＲを示す。本例では、フィルタの周波数レスポンスの逆特性が示されており、部分帯域Ｂ０２およびＢ０６の音信号を減衰させ、部分帯域Ｂ０５の音信号を増幅させる調整が行われる。
【００７９】
加工された平滑化特性を用いることにより、下限周波数以下のレンジおよび上限周波数以上のレンジの少なくとも一方のレンジにおいて、平滑化特性と目標特性との差分が小さくなるので、そのレンジでのフィルタによる過度の調整を行わなくて済む。さらに、その表示された平滑化特性のグラフＧ０１を見たユーザは、当該少なくとも一方のレンジがフィルタによる制御対象外であることを認識できる。
【００８０】
（７）なお、周波数特性同士の「交点」、すなわち、周波数特性を表すグラフ（ライン）同士の「交点」は、グラフ同士が交差する点のみならず、グラフ同士が接する点であってもよい。つまり「交点」とは、グラフ同士が重なる点（共通に通る点）を意味する。
【００８１】
＜第２実施形態＞
次に、第２実施形態の周波数特性調整装置１について説明する。主に、第１実施形態との違いについて説明する。第２実施形態の周波数特性調整装置１は、動作モードとして、第１実施形態で説明した第１の動作モードおよび第２の動作モードに加え、第３の動作モードを有する。モード切り換え用の仮想操作子Ｂ０１としては、第１の動作モードと第２の動作モードとを切り換える第１実施形態における操作子に換えて、第１の動作モード、第２の動作モードおよび第３の動作モードの間を切り換える操作子が用いられる。仮想操作子Ｂ０１の態様は、特に制限されない。
【００８２】
第３の動作モードについて説明する。第３の動作モードにおいては、特性表示領域Ａ０１に、目標特性を示すグラフ（ライン）Ｇ０２、平滑化特性を示すグラフ（ライン）Ｇ０４、および、平滑化極小特性を示すグラフ（ライン）Ｇ０５が表示される。図１４は、目標特性を示すグラフＧ０２、平滑化特性を示すグラフＧ０４、および、平滑化極小特性を示すグラフＧ０５の表示例であり、全体の周波数帯域のうちの一部分を示す。グラフＧ０２、グラフＧ０４およびグラフＧ０５を、それぞれ、実線、一点鎖線および二点鎖線で示す。
【００８３】
目標特性は、例えば、０ｄＢの平坦な周波数特性である。なお、目標特性としては、他の任意の形状の周波数特性を用いてもよい。平滑化特性は、上述のように、測定されたフィルタを除く再生系の周波数特性を平滑化処理して得られる。目標特性のグラフＧ０２と平滑化特性Ｇ０４との交点の周波数で区画される部分帯域として、粗(coarse)部分帯域が規定される。図１４に示す周波数帯域の部分では、目標特性のグラフＧ０２と平滑化特性Ｇ０４との交点Ｐ１、Ｐ２およびＰ３の周波数で区画される部分帯域として、粗部分帯域ＣＦＢ１およびＣＦＢ２が規定されている。
【００８４】
第３の動作モードで用いられる平滑化特性の平滑度は、平滑化で細かなピークやディップが失われないように、第２の動作モードにおける第２の平滑度の程度の、やや低めの値とすることが好ましい。各粗部分帯域において、目標特性のグラフＧ０２と平滑化特性のグラフＧ０４との差分の極小点を、「谷」という。つまり、各粗部分帯域において、目標特性のグラフＧ０２と平滑化特性のグラフＧ０４との差分（これは、周波数の関数である）を極小とする周波数に対応する、平滑化特性のグラフＧ０４上の位置を、「谷」という。図１４に示す周波数帯域の部分では、粗部分帯域ＣＦＢ１に谷Ｖ１が存在し、粗部分帯域ＣＦＢ２に谷Ｖ２が存在しているが、各粗部分帯域に存在する谷の数は１とは限らず、０の場合もあるし、２以上の場合もある。
【００８５】
平滑化極小特性は、目標特性のグラフＧ０２と平滑化特性Ｇ０４との交点、および、目標特性のグラフＧ０２と平滑化特性のグラフＧ０４との差分の谷（極小点）を、滑らかに接続したグラフＧ０５で規定される周波数特性である。なお、平滑化極小特性は、谷が存在しない粗部分帯域においては、例えば、平滑化特性と一致するように規定されてよい。図１４に示す周波数帯域の部分では、平滑化極小特性は、交点Ｐ１、谷Ｖ１、交点Ｐ２、谷Ｖ２および交点Ｐ３を、滑らかに接続したグラフで規定されている。
【００８６】
目標特性のグラフＧ０２と平滑化特性Ｇ０４との交点の周波数、および、目標特性のグラフＧ０２と平滑化特性のグラフＧ０４との差分の谷の周波数で区画される部分帯域として、微(fine)部分帯域が規定される。図１４に示す周波数帯域の部分では、交点Ｐ１、谷Ｖ１、交点Ｐ２、谷Ｖ２および交点Ｐ３の周波数で区画される部分帯域として、微部分帯域ＦＦＢ１１、ＦＦＢ１２、ＦＦＢ２１およびＦＦＢ２２が規定されている。
【００８７】
微部分帯域は、粗部分帯域を、平滑化特性のグラフＧ０４と極小特性のグラフＧ０５とが接する点の周波数で分割して得てもよい。換言すれば、微部分帯域は、粗部分帯域を、目標特性のグラフＧ０２と平滑化特性のグラフＧ０４との差分の谷の周波数で分割して得てもよい。図１４に示す周波数帯域の部分では、微部分帯域ＦＦＢ１１およびＦＦＢ１２は、粗部分帯域ＣＦＢ１を、谷Ｖ１の周波数で分割して得られる。微部分帯域ＦＦＢ２１およびＦＦＢ２２は、粗部分帯域ＣＦＢ２を、谷Ｖ２の周波数で分割して得られる。
【００８８】
第３の動作モードにおいて、ユーザは、粗調整操作と、微調整操作とを行う。粗調整操作では、粗部分帯域が、調整量の設定操作の単位である。ユーザは、調整量の設定対象として何れか１つの粗部分帯域を指定し、指定された粗部分帯域の、目標特性（Ｇ０２）と平滑化極小特性（Ｇ０５）との差分に対する割合を示す、１つの調整量を調整する。
【００８９】
図１５は、粗調整操作における領域Ａ０１の表示例であり、粗部分帯域ＣＦＢ１における調整量の設定を例示する。粗部分帯域ＣＦＢ１において、初期（図１４）の調整量はゼロ（％）、つまり、フィルタの周波数レスポンスはフラット（０ｄＢで増幅・減衰なし）である。ここで、ユーザが、例えば、帯域ＣＦＢ１の目標特性のライン（この場合は０ｄＢ）を平滑化極小特性のグラフＧ０５に近づける方向に（或いは逆方向に）ドラッグすると、調整量更新処理にて、帯域ＣＦＢ１の調整量が増加（或いは減少）される。そして、帯域ＣＦＢ１の目標特性と平滑化極小特性との差分をゲイン方向にスケール調整するパラメータとしての１つの調整量を増加（或いは減少）することができる。このドラッグにより表示されたラインＣＦＲ１（図１５）が、変更された調整量を、つまり、フィルタの周波数レスポンスを示す。
【００９０】
粗部分帯域ＣＦＢ１において、平滑化極小特性の値は目標特性を上回っている。したがって、平滑化極小特性を目標特性に近づける補正、つまり、平滑化極小特性のピークを低減させる補正では、帯域ＣＦＢ１のゲインを下げるように、フィルタの周波数レスポンス（粗）が設定される。本操作例では、フィルタの周波数レスポンスの逆特性（上下反転した特性）が表示されており、ラインＣＦＲ１を目標特性（フィルタのゲイン０ｄＢに相当）に対し上方に向けて設定するほど、帯域ＣＦＢ１の音信号の減衰量が増える。
【００９１】
微調整操作では、微部分帯域が、調整量の設定操作の単位である。ユーザは、調整量の設定対象として何れか１つの微部分帯域を指定し、指定された微部分帯域の、平滑化極小特性（Ｇ０５）と平滑化特性（Ｇ０４）との差分に対する割合を示す、１つの調整量を調整する。
【００９２】
図１６は、粗調整操作に引き続いて行われた場合の、微調整操作における領域Ａ０１の表示例であり、微部分帯域ＦＦＢ１２における調整量の設定を例示する。微部分帯域ＦＦＢ１２において、粗調整操作で既に、ラインＣＦＲ１で示される調整量が設定されている。ユーザが、例えば、帯域ＦＦＢ１２の設定されたラインＣＦＲ１を平滑化特性のグラフＧ０４に近づける方向に（或いは逆方向に）ドラッグすると、帯域ＦＦＢ１２の平滑化極小特性と平滑化特性との差分をゲイン方向にスケール調整するパラメータとしての１つの調整量を増加（或いは減少）することができる。微調整操作について、このドラッグにより表示されたラインＦＦＲ１２が、変更された調整量を、つまり、フィルタの周波数レスポンスを示す。
【００９３】
微部分帯域ＦＦＢ１２において、平滑化特性の値は平滑化極小特性の値を上回っている。したがって、平滑化特性を平滑化極小特性に近づける補正、つまり、平滑化特性のピークを低減させる補正では、帯域ＦＦＢ１２のゲインを下げるように、フィルタの周波数レスポンス（微）が設定される。本操作例では、フィルタの周波数レスポンスの逆特性が表示されており、ラインＦＦＲ１２をＣＦＲ１（フィルタのゲイン０ｄＢに相当）に対し上方に向けて設定するほど、帯域ＦＦＢ１２の音信号の減衰量が増える。
【００９４】
粗調整操作で設定された各粗部分帯域の調整量に基づく周波数レスポンス（粗）と、微調整操作で設定された各微部分帯域の調整量に基づく周波数レスポンス（微）とを、全ての周波数帯域について合算して、フィルタの全体的な周波数レスポンスが算出される。本操作例では、粗調整操作により、ラインＣＦＲ１が平滑化極小特性のグラフＧ０５と一致する位置に設定されると、粗部分帯域ＣＦＢ１の調整量が１００％に設定されて、帯域ＣＦＢ１では目標特性と平滑化極小特性の差分が１００％補正される。その状態で、微調整操作により、ラインＦＦＲ１２が平滑化特性のグラフＧ０４と一致する位置に設定されると、微部分帯域ＦＦＢ１２の調整量が１００％に設定されて、帯域ＦＦＢ１２では平滑化微小特性と平滑化特性の差分が１００％補正される。
【００９５】
以上説明したように、第３の動作モードでは、目標特性と、平滑化特性と、平滑化極小特性とを、適宜組み合わせて操作単位としての粗部分帯域と微部分帯域とを抽出し、ユーザに粗部分帯域の調整量と微部分帯域の調整量とを調整させることで、ユーザは、周波数特性の思い通りの補正を容易に行うことができる。なお、第３の動作モードを用いる場合、粗調整操作による調整量の設定、および、微調整操作による調整量の設定は、いずれか一方のみを実施してもよく、両方を実施する場合どちらを先に実施してもよいし、交互に行ってもよいし、あるいは、同じ表示画面でのユーザのドラッグ操作毎に、そのドラッグ操作の開始位置に応じて一方を選択して行うようにしてもよい。
【００９６】
なお、調整量を設定するための表示または操作の態様は、特に制限されない。例えば、調整量の設定操作を容易にするために、目標特性と平滑化極小特性との差分のグラフを表示してもよく、平滑化極小特性と平滑化特性との差分のグラフを表示してもよい。目標特性と平滑化特性との差分のグラフを表示してもよい。また例えば、フィルタの周波数レスポンスとして、順方向（上方向が増幅、下方向が減衰）の特性を表示してもよい。なお、図１４に示す例では、目標特性が０ｄＢの平坦な周波数特性であるため、グラフＧ０４は、目標特性と平滑化特性との差分を示すグラフともいえ、グラフＧ０５は、目標特性と平滑化極小特性との差分を示すグラフともいえる。
【００９７】
第２実施形態の周波数特性調整装置１の構成は、第１実施形態の周波数特性調整装置１の構成と同様である。制御部２１０が、調整支援プログラムにしたがって動作することで、図４のフローチャートに従って、第１の動作モード、第２の動作モードおよび第３の動作モードが実行される。第１の動作モードおよび第２の動作モードにおける処理は、第１実施形態と同様である。第３の動作モードにおける処理は、以下のように実行される。取得処理により、目標特性を示す目標特性データと、平滑化特性を示す平滑化特性データと、平滑化極小特性を示す平滑化極小特性データとが取得される。なお、平滑化極小特性の取得処理は、目標特性データと平滑化特性データの差分をとり、その差分の極小値を平滑化して、平滑化極小データを算出する処理であってもよい。次に、抽出処理により、操作単位となる粗部分帯域と微部分帯域とが抽出される。抽出処理では、周波数帯域が複数の粗部分帯域に分割され、また、周波数帯域が複数の微部分帯域に分割される。設定処理により、粗調整操作のための粗部分帯域と、微調整操作のための微部分帯域とが、調整量の設定操作における操作単位として設定される。表示制御処理により、例えば、目標特性のグラフＧ０２と、平滑化特性のグラフＧ０４と、平滑化極小特性のグラフＧ０５とが表示される。
【００９８】
操作内容に応じた処理（ステップＳＡ１８０）により、ユーザが１つの粗部分帯域を選択し周波数特性の調整量を設定する操作に応じて、その粗部分帯域に対する調整量の値が変更され、その変更された調整量に応じて、その粗部分帯域に対するフィルタの周波数レスポンス（粗）が設定される。また、操作内容に応じた処理（ステップＳＡ１８０）により、ユーザが１つの微部分帯域を選択し周波数特性の調整量を設定する操作に応じて、その微部分帯域に対する調整量の値が変更され、その変更された調整量に応じて、その微部分帯域に対するフィルタの周波数レスポンス（微）が設定される。
【００９９】
以上に例示した形態から、例えば以下の構成が把握される。
本発明の好適な態様（第１態様）に係るフィルタの周波数レスポンス設定方法は、目標スペクトル包絡を示す第１ラインと、測定された周波数スペクトルを平滑化した第１スペクトル包絡を示す第２ラインとの交点の周波数で、対象となる周波数帯域を複数の第１部分帯域に分割するステップ（分割ステップ）と、前記複数の第１部分帯域のうちオペレータにより指定された第１部分帯域に対する、オペレータによる調整量の設定操作に応じて、当該指定された第１部分帯域に対するフィルタの周波数レスポンスを設定するステップ（設定ステップ）とを具備する。以上の態様では、フィルタの周波数レスポンスを設定するための、調整量の設定操作の単位となる第１部分帯域が、第１ラインと第２ラインの交点の周波数で定められる。このため、第１部分帯域は、ユーザにとって、認識し易い、操作し易い、調整作業をし易いものとなる。
第１態様の好適例（第２態様）において、周波数とゲインの２次元表示領域に、前記フィルタの周波数レスポンスを表示するステップをさらに具備する。以上の態様では、ユーザがフィルタの周波数レスポンスを確認しながらの操作が可能になるので、調整量の設定が容易になる。
第２態様２の好適例（第３態様）において、前記フィルタの周波数レスポンスを表示するステップは、前記表示領域に、さらに、前記第１ラインと前記第２ラインとを表示する。以上の態様では、ユーザが第１ラインと第２ラインを確認しながらの操作が可能になるので、調整量の設定が容易になる。
第２態様２の好適例（第４態様）において、前記フィルタの周波数レスポンスを表示するステップは、前記表示領域に、さらに、前記第１ラインと前記第２ラインとの差分を表示する。以上の態様では、ユーザが第１ラインと第２ラインとの差分を確認しながらの操作が可能になるので、調整量の設定が容易になる。
第３態様の好適例（第５態様）において、前記対象となる周波数帯域は、オペレータにより設定された下限周波数と上限周波数とにより制限されている。以上の態様では、ユーザが所望の周波数帯域に対して調整作業を行うことができる。
第５態様の好適例（第６態様）において、前記第２ラインは、前記下限周波数以下のレンジおよび前記上限周波数以上のレンジの少なくとも一方において、前記第１ラインと滑らかに接続するように加工されている。以上の態様では、下限周波数以下のレンジおよび上限周波数以上のレンジの少なくとも一方を、フィルタによる調整の範囲から除外することができる。また、第２ラインの表示を見たユーザは、その除外態様を容易に把握できる。
第１態様の好適例（第７態様）において、前記フィルタの周波数レスポンスを設定するステップは、前記指定された第１部分帯域における前記第１ラインと前記第２ラインとの差分に対する割合によりオペレータが前記調整量を設定する設定操作に応じて、当該指定された第１部分帯域に対するフィルタの周波数レスポンスを設定する。以上の態様では、第１ラインと第２ラインとの差分を低減させる補正を行うための調整量を、中心周波数およびＱ値の設定等の煩雑な操作を行うことなく、設定することができる。
第１態様の好適例（第８態様）において、オペレータによる前記第１ラインの変更操作に応じて、当該第１ラインを変更するステップをさらに具備する。以上の態様では、ユーザの指示により第１ラインを変更できる。
第１態様１の好適例（第９態様）において、前記第１ラインは、予め用意された複数種のスペクトル包絡のうちから指定されたスペクトル包絡を示すラインである。以上の態様では、ユーザが所望の目標スペクトル包絡を指定できる。
第１態様の好適例（第１０態様）において、前記第２ラインと、前記測定された周波数スペクトルを前記第１スペクトル包絡より低い度合いで平滑化した第２スペクトル包絡を示す第３ラインとの交点の周波数で、前記対象となる周波数帯域を複数の第２部分帯域に分割するステップと、前記複数の第２部分帯域のうちオペレータにより指定された第２部分帯域に対する、オペレータによる調整量の設定操作に応じて、当該指定された第２部分帯域に対するフィルタの周波数レスポンスを設定するステップとをさらに具備する。以上の態様では、第１部分帯域に対する調整量の設定操作により、第１スペクトル包絡が有する、第２スペクトル包絡と比べて緩やかな凹凸を補正でき、さらに、第２部分帯域に対する調整量の設定操作により、第２スペクトル包絡が有する、第１スペクトル包絡と比べて細かな凹凸を補正できる。
第１態様の好適例（第１１態様）において、前記第１ラインは、前記測定された周波数スペクトルを前記第１スペクトル包絡より高い度合いで平滑化した第３スペクトル包絡を示すラインである。以上の態様では、第１部分帯域に対する調整量の設定操作により、第１スペクトル包絡が有する、第３スペクトル包絡と比べて細かな凹凸を補正できる。
第１態様の好適例（第１２態様）において、前記第１ラインと前記第２ラインとの差分の谷の周波数で、各第１部分帯域を複数の第２部分帯域に分割するステップと、前記複数の第２部分帯域のうちオペレータにより指定された第２部分帯域に対する、オペレータによる調整量の設定操作に応じて、当該指定された第２部分帯域に対するフィルタの周波数レスポンスを設定するステップとをさらに具備する。以上の態様では、第２部分帯域と比べて広い第１部分帯域に対する大まかな調整（粗調整）と、第１部分帯域と比べて狭い第２部分帯域に対する細かな調整（微調整）とを、容易に行うことができる。
第１態様の好適例（第１３態様）において、前記測定された周波数スペクトルは、放音されてマイクで収音された測定用の音の波形の周波数スペクトルである。以上の態様では、再生系に関し実際に測定された周波数スペクトルを、調整対象とすることができる。
第１態様の好適例（第１４態様）において、オペレータによる前記第２ラインの変更操作に応じて、当該第２ラインを変更するステップをさらに具備する。以上の態様では、ユーザの指示により第２ラインを変更できる。
第１態様の好適例（第１５態様）において、前記複数の第１部分帯域のうちのある第１部分帯域を挟む２つの交点の少なくとも一方の位置を、オペレータが周波数方向へ移動する交点移動操作に応じて、当該第１部分帯域の幅を変更するステップをさらに具備する。以上の態様では、第１部分帯域の幅を変更できるため、フィルタの周波数レスポンスの設定の自由度が向上する。
本発明の好適な態様（第１６態様）に係るフィルタの周波数レスポンス設定装置は、目標スペクトル包絡を示す第１ラインと、測定された周波数スペクトルを平滑化した第１スペクトル包絡を示す第２ラインとの交点の周波数で、対象となる周波数帯域を複数の第１部分帯域に分割する分割部と、前記複数の第１部分帯域のうちオペレータにより指定された第１部分帯域に対する、オペレータによる調整量の設定操作に応じて、当該指定された第１部分帯域に対するフィルタの周波数レスポンスを設定する設定部とを具備する。
また、本発明の別の態様としては、ＣＰＵ（Central Processing Unit）などのコンピュータを、上記分割部および上記設定部として機能させるプログラム（或いは、上記分割ステップおよび上記設定ステップを含む方法をコンピュータに実行させるプログラム）を提供する態様が考えられる。例えば、周波数特性調整装置のユーザインタフェース部としてパーソナルコンピュータやタブレット端末等の端末装置を用いる場合、当該端末装置の制御部（ＣＰＵ）を上記プログラムにしたがって動作させることで、指定した部分帯域についてのみ調整対象となる周波数特性を目標特性に合わせこむための調整を行え、かつ当該調整を直観的でわかりやすい操作で行えるようになる。なお、上記プログラムの具体的な提供態様としては、ＣＤ−ＲＯＭ（Compact Disk-Read Only Memory）やフラッシュＲＯＭ（Read Only Memory）などのコンピュータ読み取り可能な記録媒体に書き込んで配布する態様や、インターネットなどの電気通信回線経由のダウンロードにより配布する態様が考えられる。
本発明の好適な態様（第１７態様）に係るフィルタの周波数レスポンス設定方法は、目標スペクトル包絡を示す第１ラインと、測定された周波数スペクトルを平滑化した第１スペクトル包絡を示す第２ラインとの交点の周波数で、対象となる周波数帯域を複数の第１部分帯域に分割するステップと、各第１部分帯域を、前記第１ラインと前記第２ラインとの差分の谷の周波数で、複数の第２部分帯域に分割するステップと、前記複数の第１部分帯域のうちオペレータにより指定された第１部分帯域に対する、オペレータによる調整量の設定操作に応じて、当該指定された第１部分帯域に対するフィルタの周波数レスポンスを設定するステップと、前記複数の第２部分帯域のうちオペレータにより指定された第２部分帯域に対する、オペレータによる調整量の設定操作に応じて、当該指定された第２部分帯域に対するフィルタの周波数レスポンスを設定するステップとを具備する。以上の態様では、第２部分帯域と比べて広い第１部分帯域に対する大まかな調整（粗調整）と、第１部分帯域と比べて狭い第２部分帯域に対する細かな調整（微調整）とを、容易に行うことができる。
第１７態様１７の好適例（第１８態様）において、周波数とゲインの２次元表示領域に、前記第１部分帯域に対するフィルタの周波数レスポンス、および、前記第２部分帯域に対するフィルタの周波数レスポンスを表示するステップをさらに具備する。以上の態様では、ユーザが第１部分帯域に対するフィルタの周波数レスポンス、および、第２部分帯域に対するフィルタの周波数レスポンスを確認しながらの操作が可能になるので、調整量の設定が容易になる。
第１７態様の好適例（第１９態様）において、前記フィルタの周波数レスポンスを表示するステップは、前記表示領域に、さらに、前記第１ラインと前記第２ラインとを表示する。以上の態様では、ユーザが第１ラインと第２ラインを確認しながらの操作が可能になるので、調整量の設定が容易になる。
第１７態様の好適例（第２０態様）において、前記指定された第１部分帯域に対するフィルタの周波数レスポンスを設定するステップは、当該指定された第１部分帯域における、前記第１ラインと、前記交点と前記谷とを滑らかに接続した第４ラインとの差分に対する割合によりオペレータが前記調整量を設定する設定操作に応じて、当該指定された第１部分帯域に対するフィルタの周波数レスポンスを設定する。以上の態様では、第１ラインと第４ラインとの差分を低減させる補正を行うための調整量を、中心周波数およびＱ値の設定等の煩雑な操作を行うことなく、設定することができる。
第１７態様の好適例（第２１態様）において、前記指定された第２部分帯域に対するフィルタの周波数レスポンスを設定するステップは、当該指定された第２部分帯域における、前記第２ラインと、前記第４ラインとの差分に対する割合によりオペレータが前記調整量を設定する設定操作に応じて、当該指定された第２部分帯域に対するフィルタの周波数レスポンスを設定する。以上の態様では、第２ラインと第４ラインとの差分を低減させる補正を行うための調整量を、中心周波数およびＱ値の設定等の煩雑な操作を行うことなく、設定することができる。
第１７態様の好適例（第２２態様）において、オペレータによる前記第１ラインの変更操作に応じて、当該第１ラインを変更するステップをさらに具備する。以上の態様では、ユーザの指示により第１ラインを変更できる。
第１７態様の好適例（第２３態様）において、オペレータによる前記第２ラインの変更操作に応じて、当該第２ラインを変更するステップをさらに具備する。以上の態様では、ユーザの指示により第２ラインを変更できる。
本発明の好適な態様（第２４態様）に係るフィルタの周波数レスポンス設定方法は、目標スペクトル包絡を示す第１ラインと、測定された周波数スペクトルを平滑化した第１スペクトル包絡を示す第２ラインとの交点の周波数、および、前記第１ラインと前記第２ラインとの差分の谷の周波数で、対象となる周波数帯域を複数の部分帯域に分割するステップと、前記複数の部分帯域のうちオペレータにより指定された部分帯域に対する、オペレータによる調整量の設定操作に応じて、当該指定された部分帯域に対するフィルタの周波数レスポンスを設定するステップとを具備する。以上の態様では、フィルタの周波数レスポンスを設定するための、調整量の設定操作の単位となる部分帯域が、第１ラインと第２ラインの交点の周波数、および、第１ラインと第２ラインとの差分の谷の周波数で定められる。このため、部分帯域は、ユーザにとって、認識し易い、操作し易い、調整作業をし易いものとなる。
第２４態様の好適例（第２５態様）において、周波数とゲインの２次元表示領域に、前記フィルタの周波数レスポンスを表示するステップをさらに具備する。以上の態様では、ユーザがフィルタの周波数レスポンスを確認しながらの操作が可能になるので、調整量の設定が容易になる。
第２４態様の好適例（第２６態様）において、前記フィルタの周波数レスポンスを表示するステップは、前記表示領域に、さらに、前記第１ラインと前記第２ラインとを表示する。以上の態様では、ユーザが第１ラインと第２ラインを確認しながらの操作が可能になるので、調整量の設定が容易になる。
【符号の説明】
【０１００】
１…周波数特性調整装置、２…音響空間、３…スピーカ、１０…本体部、１１０…マイク入力端子、１２０…ソース入力端子、１３０…スピーカ出力端子、２０…リモコン部、２１０…制御部、２２０…外部機器Ｉ／Ｆ部、２３０…ユーザＩ／Ｆ部、２３２…操作入力手段、２３４…表示手段、２４０…記憶部、２４２…揮発性記憶部、２４４…不揮発性記憶部、２５０…バス。
【図１】
0006665944.tif 000002
【図２】
0006665944.tif 000003
【図３Ａ】
0006665944.tif 000004
【図３Ｂ】
0006665944.tif 000005
【図４】
0006665944.tif 000006
【図５Ａ】
0006665944.tif 000007
【図５Ｂ】
0006665944.tif 000008
【図６】
0006665944.tif 000009
【図７】
0006665944.tif 000010
【図８】
0006665944.tif 000011
【図９Ａ】
0006665944.tif 000012
【図９Ｂ】
0006665944.tif 000013
【図１０】
0006665944.tif 000014
【図１１】
0006665944.tif 000015
【図１２Ａ】
0006665944.tif 000016
【図１２Ｂ】
0006665944.tif 000017
【図１３Ａ】
0006665944.tif 000018
【図１３Ｂ】
0006665944.tif 000019
【図１４】
0006665944.tif 000020
【図１５】
0006665944.tif 000021
【図１６】
0006665944.tif 000022